(57)【特許請求の範囲】
【請求項１】
係止凹部が設けられた第１のカードが少なくとも接続可能なカードコネクタにおいて、
第１のカードが挿入可能なスロットを有するハウジングと、
このハウジングのスロット内に設けられ且つ第１のカードと共にカード排出位置からカード挿入位置にかけてスライド自在にされたスライダと、
前記ハウジングの前記スロット内に設けられ且つ第１のカードの所定方向の移動を規制可能な位置規制手段とを備えており、
前記スライダは弾性変形可能な係止アームを有しており、
前記係止アームは、鉤状に折り曲げられた先端部を有する板状又は棒状のバネ部材であり、当該係止アームは、第１のカードに向けて凸の第１の係止部と、
前記第１の係止部に対して反対方向に凸の第２の係止部とを有しており、
前記先端部の第１のカードに近づく方向に向けて折り曲げられた部分が前記第１の係止部となっており、
前記先端部の第１の係止部に連続し且つ第１のカードから離れる方向に向けて折り曲げられた部分が第２の係止部となっており、
第１のカードが所定の向きで前記スロットに挿入されると、前記第１の係止部が第１のカードの係止凹部に係止されるようになっており、
第１のカードが所定の向き以外の向きで前記スロットに挿入されると、前記第１の係止部が第１のカードに押圧され、前記係止アームが当該第１のカードから離れる方向に弾性変形することにより、前記第２の係止部が前記位置規制手段に係止されるようになっていることを特徴とするカードコネクタ。
【請求項２】
係止凹部が設けられた第１のカードが少なくとも接続可能なカードコネクタにおいて、
第１のカードが挿入可能なスロットを有するハウジングと、
このハウジングのスロット内に設けられ且つ第１のカードと共にカード排出位置からカード挿入位置にかけてスライド自在にされたスライダと、
前記ハウジングの前記スロット内に設けられ且つ第１のカードの所定方向の移動を規制可能な位置規制手段とを備えており、
前記スライダが金属板で構成されており、当該スライダは弾性変形可能な係止アームを有しており、
前記係止アームは、鉤状に折り曲げられた先端部を有する板状又は棒状のバネ部材であって、前記スライダの一部がカットされ且つ折り曲げられた構成となっており、当該係止アームは、第１のカードに向けて凸の第１の係止部と、
前記第１の係止部に対して反対方向に凸の第２の係止部とを有しており、
前記先端部の第１のカードに近づく方向に向けて折り曲げられた部分が前記第１の係止部となっており、
前記先端部の第１の係止部に連続し且つ第１のカードから離れる方向に向けて折り曲げられた部分が第２の係止部となっており、
第１のカードが所定の向きで前記スロットに挿入されると、前記第１の係止部が第１のカードの係止凹部に係止されるようになっており、
第１のカードが所定の向き以外の向きで前記スロットに挿入されると、前記第１の係止部が第１のカードに押圧され、前記係止アームが当該第１のカードから離れる方向に弾性変形することにより、前記第２の係止部が前記位置規制手段に係止されるようになっていることを特徴とするカードコネクタ。
【請求項３】
請求項１又は２記載のカードコネクタにおいて、
前記スライダを前記カード挿入位置から前記カード排出位置にかけて移動させることにより、第１のカードを前記スロットから排出可能とするイジェクト機構を更に備えていることを特徴とするカードコネクタ。
【請求項４】
第１のカードに加えて、当該第１のカードよりも少なくとも幅広である第２のカードが接続可能な請求項１又は２記載のカードコネクタにおいて、
前記スロットは、第１のカードが挿入可能な第１の開口と、
第２のカードが挿入可能な第２の開口と、
前記第１、第２の開口に各々連通しており且つ当該第１、第２の開口を通じて第１、第２のカードが挿入される上側、下側空間とを有しており、
前記スライダは、第１のカードに加えて、第２のカードと共に前記カード排出位置から前記カード挿入位置にかけてスライド自在になっており、
前記スライダは、スライダ本体と、
前記スライダ本体の幅方向の両端部の上側部分に設けられており且つ第１のカードの幅方向の両端面をガイド可能な一対の第１のガイド部と、
前記スライダ本体の前記両端部の下側部分に設けられており且つ第２のカードの幅方向の両端面をガイド可能な一対の第２のガイド部と、
前記第１、第２のガイド部の間に設けられており且つ第２のカードの幅方向の両端部の上面に当接可能な一対の段部と、
前記スライダ本体に設けられており且つ前記第２の開口を通じて前記第２のガイド部の間に挿入された第１、第２のカードを上方に向けて付勢する付勢手段とを有しており、
前記係止凹部は前記第１のカードの幅方向の端部に設けられており、
前記係止アームは、一方の前記第１のガイド部に設けられており、
前記位置規制手段には、上方に凸であり且つ前記第２の係止部が係止可能な突片が設けられていることを特徴とするカードコネクタ。
【請求項５】
第１のカードに加えて、当該第１のカードと少なくとも幅広である第２のカードが接続可能な請求項１又は２記載のカードコネクタにおいて、
前記スロットは、第１のカードが挿入可能な第１の開口と、
第２のカードが挿入可能な第２の開口と、
前記第１、第２の開口に各々連通しており且つ当該第１、第２の開口を通じて第１、第２のカードが挿入される上側、下側空間とを有しており、
前記スライダは、第１のカードに加えて、第２のカードと共に前記カード排出位置から前記カード挿入位置にかけてスライド自在になっており、
前記ハウジングは、
前記第１の開口の両側に設けられており且つその間の距離が第１のカードの幅寸法よりも若干大きく、第２のカードの幅寸法よりも小さい一対の第１の縁部と、
前記第２の開口の両側に設けられており且つその間の距離が第２のカードの幅寸法よりも若干大きい一対の第２の縁部と、
前記第１、第２の縁部の間に設けられており且つ第２のカードの幅方向の両端部の上面に当接可能な一対の段部とを更に有しており、
前記スライダは、前記第２の開口を通じて前記スロットの下側空間に挿入された第１、第２のカードを上方に向けて付勢する付勢手段を有しており、
前記係止凹部は第１のカードの幅方向の端部に設けられており、
前記位置規制手段には、上方に凸であり且つ前記第２の係止部が係止可能な突片が設けられていることを特徴とするカードコネクタ。
【請求項６】
第２のカードの厚み寸法が第１のカードの厚み寸法よりも大きい請求項４又は５記載のカードコネクタにおいて、
前記係止アームは前記第１の係止部が第２のカードの幅方向の端部に押圧されることによっても、当該カードから離れる方向に弾性変形可能になっており、
前記位置規制手段は第２のカードの幅方向の端部に押圧されることにより、当該第２のカードから離れる方向に弾性変形可能な弾性部材であって、前記弾性変形により前記突片が第２のカードから離れる方向に変位するようになっていることを特徴とするカードコネクタ。
【請求項７】
請求項１〜６の何れかに記載のカードコネクタにおいて、
前記位置規制手段は金属製のバネ部材であることを特徴とするカードコネクタ。
【発明の詳細な説明】
【技術分野】
【０００１】
本発明はカードが挿入可能なカードコネクタに関する。
【背景技術】
【０００２】
この種のカードコネクタとしては、幅狭な小型カードが幅狭な第１の開口を通じてスロット内に挿入され、当該小型カードの電極が前記スロットの上側空間に配置された第１のコンタクトに接触可能になっている一方、幅広な大型カードが前記第１の開口の下側に当該第１の開口に連続して設けられた幅広な第２の開口を通じて前記スロット内に挿入され、当該大型カードの電極が前記スロットの下側空間に配置された第２のコンタクトに接触可能になっているもの（特許文献１参照）がある。
【０００３】
【特許文献１】特開２００５−５１７５号公報
【発明の開示】
【発明が解決しようとする課題】
【０００４】
このように前記カードコネクタは、第１、第２の開口を通じて小型、大型カードを挿入させることにより、小型カードが幅広の第２の開口を通じて挿入され、幅方向に移動し、第１のコンタクトと位置ずれが生じるのを防止しているものの、小型、大型カードが正規の向き以外の向き（例えば、上下逆向き）で誤挿入されることを防止することができない。
【０００５】
本発明は、上記事情に鑑みて創案されたものであって、その目的とするところは、カードが所定の向き以外の向きで誤挿入されるのを防止することができるカードコネクタを提供することにある。
【課題を解決するための手段】
【０００６】
上記課題を解決するために、本発明の第１カードコネクタは、係止凹部が設けられた第１のカードが少なくとも接続可能なカードコネクタである。前記第１カードコネクタは、第１のカードが挿入可能なスロットを有するハウジングと、このハウジングのスロット内に設けられ且つ第１のカードと共にカード排出位置からカード挿入位置にかけてスライド自在にされたスライダと、前記ハウジングの前記スロット内に設けられ且つ第１のカードの所定方向の移動を規制可能な位置規制手段とを備えている。前記スライダは弾性変形可能な係止アームを有している。前記係止アームは、鉤状に折り曲げられた先端部を有する板状又は棒状のバネ部材である。当該係止アームは、第１のカードに向けて凸の第１の係止部と、前記第１の係止部に対して反対方向に凸の第２の係止部とを有している。前記先端部の第１のカードに近づく方向に向けて折り曲げられた部分が前記第１の係止部となっている。前記先端部の第１の係止部に連続し且つ第１のカードから離れる方向に向けて折り曲げられた部分が第２の係止部となっている。第１のカードが所定の向きで前記スロットに挿入されると、前記第１の係止部が第１のカードの係止凹部に係止されるようになっている。第１のカードが所定の向き以外の向きで前記スロットに挿入されると、前記第１の係止部が第１のカードに押圧され、前記係止アームが当該第１のカードから離れる方向に弾性変形することにより、前記第２の係止部が前記位置規制手段に係止されるようになっている。
【０００７】
本発明の第２カードコネクタは、係止凹部が設けられた第１のカードが少なくとも接続可能なカードコネクタである。前記第２カードコネクタは、第１のカードが挿入可能なスロットを有するハウジングと、このハウジングのスロット内に設けられ且つ第１のカードと共にカード排出位置からカード挿入位置にかけてスライド自在にされたスライダと、前記ハウジングの前記スロット内に設けられ且つ第１のカードの所定方向の移動を規制可能な位置規制手段とを備えている。前記スライダが金属板で構成されている。当該スライダは弾性変形可能な係止アームを有している。前記係止アームは、鉤状に折り曲げられた先端部を有する板状又は棒状のバネ部材であって、前記スライダの一部がカットされ且つ折り曲げられた構成となっている。前記係止アームは、第１のカードに向けて凸の第１の係止部と、前記第１の係止部に対して反対方向に凸の第２の係止部とを有している。前記先端部の第１のカードに近づく方向に向けて折り曲げられた部分が前記第１の係止部となっている。前記先端部の第１の係止部に連続し且つ第１のカードから離れる方向に向けて折り曲げられた部分が第２の係止部となっている。第１のカードが所定の向きで前記スロットに挿入されると、前記第１の係止部が第１のカードの係止凹部に係止されるようになっている。第１のカードが所定の向き以外の向きで前記スロットに挿入されると、前記第１の係止部が第１のカードに押圧され、前記係止アームが当該第１のカードから離れる方向に弾性変形することにより、前記第２の係止部が前記位置規制手段に係止されるようになっている。
【０００８】
このような第１、第２カードコネクタによる場合、第１のカードが所定の向きでスロットに挿入されると、前記第１の係止部が第１のカードの係止凹部に係止され、前記スライダが第１のカードと共にスライド移動可能となる。一方、第１のカードが所定の向き以外の向きで挿入されると、前記第２の係止部が前記位置規制手段に係止され、前記スライダのスライド移動が阻止される。このため、第１のカードが所定の向き以外の向きで誤挿入されるのを防止することができる。また、前記第２の係止部が前記位置規制手段に係止されることにより、スライダがカード排出位置に位置した状態が維持されるため、ユーザはカード排出位置で第１のカードの誤挿入を容易に認識することができる。
【００１０】
また、前記カードコネクタは、前記スライダをカード挿入位置からカード排出位置にかけて移動させることにより、第１のカードをスロットから排出可能とするイジェクト機構を更に備えていることが好ましい。この場合、係止アームの第１の係止部がイジェクト機構によるカード排出時に第１のカードの係止凹部に係止されていることから、第１のカードのスロットからの飛び出しを防止することができる。
【００１１】
前記カードコネクタが第１のカードに加えて、当該第１のカードよりも少なくとも幅広である第２のカードが接続可能となっている場合、前記スロットは、第１のカードが挿入可能な第１の開口と、第２のカードが挿入可能な第２の開口と、前記第１、第２の開口に各々連通しており且つ当該第１、第２の開口を通じて第１、第２のカードが挿入される上側、下側空間とを有しており、前記スライダは、第１のカードに加えて、第２のカードと共にカード排出位置からカード挿入位置にかけてスライド自在になっている構成とすることができる。
【００１２】
前記スライダは、スライダ本体と、前記スライダ本体の幅方向の両端部の上側部分に設けられており且つ第１のカードの幅方向の両端面をガイド可能な一対の第１のガイド部と、前記スライダ本体の前記両端部の下側部分に設けられており且つ第２のカードの幅方向の両端面をガイド可能な一対の第２のガイド部と、前記第１、第２のガイド部の間に設けられており且つ第２のカードの幅方向の両端部の上面に当接可能な一対の段部と、前記スライダ本体に設けられており且つ前記第２の開口を通じて前記第２のガイド部の間に挿入された第１、第２のカードを上方に向けて付勢する付勢手段とを有しており、前記係止凹部は第１のカードの幅方向の端部に設けられており、前記係止アームは、一方の前記第１のガイド部に設けられており、前記位置規制手段には、上方に凸であり且つ前記第２の係止部が係止可能な突片が設けられた構成とすることができる。
【００１３】
この場合、第１のカードが前記第２の開口を通じて前記第２のガイド部の間の空間に挿入されると、第１のカードが前記スライダの付勢手段により上方に付勢され、第１のガイド部の間の空間に押し上げられる。このとき、第１のカードが所定の向きである場合には、前記第１の係止部が第１のカードの係止凹部に係止され、前記スライダがスライド自在となる。第１のカードが所定の向き以外の向きである場合には、前記第１の係止部が第１のカードの前記端部に押圧され、前記係止アームが当該第１のカードから離れる方向に弾性変形することにより、前記第２の係止部が前記位置規制手段の突片に係止される。このため、第１のカードの前記誤挿入が防止される。一方、第２のカードが前記第２の開口を通じて前記第２のガイド部の間の空間に挿入されると、第２のカードが前記スライダの付勢手段により上方に付勢されるものの、当該第２のカードの両端部の上面が前記段部に当接する。このため、第２のカードは、その幅方向の両端面が前記第２のガイド部に規制されつつ、当該第２のガイド部の間の空間に挿入される。
【００１４】
或いは、前記ハウジングが、前記第１の開口の両側に設けられており且つその間の距離が第１のカードの幅寸法よりも若干大きく、第２のカードの幅寸法よりも小さい一対の第１の縁部と、前記第２の開口の両側に設けられており且つその間の距離が第２のカードの幅寸法よりも若干大きい一対の第２の縁部と、前記第１、第２の縁部の間に設けられており且つ第２のカードの幅方向の両端部の上面に当接可能な一対の段部とを更に有しており、前記スライダは、前記第２の開口を通じて前記スロットの下側空間に挿入された第１、第２のカードを上方に向けて付勢する付勢手段を有しており、前記係止凹部は第１のカードの幅方向の端部に設けられており、前記位置規制手段には、上方に凸であり且つ前記第２の係止部が係止可能な突片が設けられた構成とすることもできる。
【００１５】
この場合、第１のカードが前記第２の開口を通じて前記スロットの下側空間に挿入されると、第１のカードが前記スライダの付勢手段により上方に付勢され、前記第１の縁部の間の空間に押し上げられる。このとき、第１のカードが所定の向きである場合には、前記第１の係止部が第１のカードの係止凹部に係止され、前記スライダがスライド自在となる。第１のカードが所定の向き以外の向きである場合には、前記第１の係止部が第１のカードの前記端部に押圧され、前記係止アームが当該第１のカードから離れる方向に弾性変形することにより、前記第２の係止部が前記位置規制手段の突片に係止される。このため、第１のカードの前記誤挿入が防止される。一方、第２のカードが前記第２の開口を通じて前記スロット内に挿入されると、第２のカードが前記スライダの付勢手段により上方に付勢されるものの、当該第２のカードの両端部の上面が前記段部に当接する。このため、第２のカードはその幅方向の両端面が前記第２の開口の両側の前記第２の縁部に規制されつつ、当該第２の縁部の間の空間に挿入される。
【００１８】
第２のカードの厚み寸法が第１のカードの厚み寸法よりも大きい場合、前記係止アームは第１の係止部が第２のカードの幅方向の端部に押圧されることによっても、当該カードから離れる方向に弾性変形可能になっており、前記位置規制手段は第２のカードの幅方向の端部に押圧されることにより、当該第２のカードから離れる方向に弾性変形可能な弾性部材であって、前記弾性変形により前記突片が第２のカードから離れる方向に変位するようになっていることが好ましい。
【００１９】
この場合、第２のカードが挿入されると、前記係止アームが第２のカードから離れる方向に弾性変形すると共に、前記位置規制手段が第２のカードから離れる方向に弾性変形し、当該位置規制手段の突片が第２のカードから離れる方向に変位するため、前記係止アームの第２の係止部との係止が回避される。即ち、第１のカードの誤挿入防止手段である係止アーム及び位置規制手段の突片が第２のカードの挿入の邪魔にならないようになっている。
【００２２】
前記位置規制手段は金属製のバネ部材であることが好ましい。この場合、前記位置規制手段をプレス成型するだけで、作成することができるので、低コスト化を図る上でメリットがある。
【００２３】
なお、前記付勢手段は、前記スライダではなく、前記ハウジングに設けることもできる。
【発明を実施するための最良の形態】
【００２４】
以下、本発明の実施の形態に係るカードコネクタについて図面を参照しつつ説明する。図１は本発明の実施の形態に係るカードコネクタの概略図であって、（ａ）が上方から見た斜視図、（ｂ)が下方から見た斜視図、図２は同カードコネクタの概略的正面図、図３は同カードコネクタのハウジングのカバーを取り外した状態を示す概略図であって、（ａ）が平面図、（ｂ）が斜視図、図４は同カードコネクタの概略的正面図であって、（ａ）が小型カード挿入状態を示す図、（ｂ）が大型カード挿入状態を示す図、図５は同カードコネクタのハウジングのカバーを取り外した状態を示す概略図であって、（ａ）は小型カードが正規の向きで挿入され且つカード排出位置に位置した状態を示す平面図、（ｂ）が（ａ）の部分の拡大斜視図、図６は同カードコネクタのハウジングのカバーを取り外した状態を示す概略図であって、（ａ）は小型カードが正規の向きと反対側の向きで挿入され且つカード排出位置に位置した状態を示す平面図、（ｂ）が（ａ）の部分の拡大斜視図、図７は同カードコネクタのハウジングのカバーを取り外した状態を示す概略図であって、（ａ）は大型カードが挿入され且つカード排出位置に位置した状態を示す平面図、（ｂ）が（ａ）の部分の拡大斜視図、図８は同カードコネクタのハウジングのカバーを取り外した状態を示す概略的平面図であって、（ａ）は小型カードがカード挿入位置に位置した状態を示す図、（ｂ）は大型カードがカード挿入位置に位置した状態を示す図、図９は同コネクタの模式的Ａ−Ａ部分断面図であって、（ａ）がカード挿入前の状態を示す図、（ｂ）が小型カード挿入後の状態を示す図、（ｃ）が大型カード挿入後の状態を示す図、図１０は同カードコネクタの概略的分解斜視図、図１１は同カードコネクタのハウジングのボディの概略図であって、（ａ）が上方から見た斜視図、（ｂ)が下方から見た斜視図、図１２は同カードコネクタのハウジングのカバーの概略図であって、（ａ）が上方から見た斜視図、（ｂ)が下方から見た斜視図、図１３は同カードコネクタの左側の位置規制バネの概略的斜視図、図１４は同カードコネクタのスライダの概略図であって、（ａ）が上方から見た斜視図、（ｂ)が下方から見た斜視図、図１５は（ａ）が同カードコネクタの右側のガイドブロックの概略的斜視図、（ｂ)が同カードコネクタの左側のガイドブロックの概略的斜視図である。
【００２５】
ここに掲げるカードコネクタＣは、小型カード１０（第１のカード）及び大型カード２０（第２のカード）が互いに上下逆に向けた状態で接続可能なカードコネクタである。
【００２６】
まず、カードコネクタＣについて説明する前に、小型カード１０及び大型カード２０について説明する。図１６は同カードコネクタに挿入可能な小型カードの概略図であって、（ａ）が上方から見た斜視図、（ｂ)が下方から見た斜視図、図１７は同カードコネクタに挿入可能な大型カードの概略図であって、（ａ）が上方から見た斜視図、（ｂ)が下方から見た斜視図、図１８は同小型、大型カードを重ね合わせた状態の概略的平面図であって、大型カードを破線で示した図である。
【００２７】
小型カード１０はマイクロエスディーカードである。この小型カード１０は、図１６に示すように、略矩形状のカード本体１１と、このカード本体１１の幅方向の一端部の後端部に設けられた張出部１２と、カード本体１１の先端部の面上に幅方向に並べて配設された複数の電極１３とを備えている。張出部１２の先端部は斜めにカットされている。また、張出部１２の外側部には係止凹部１２ａが設けられている。
【００２８】
この小型カード１０は、電極１３が形成された面（以下、電極面と称する。）を上に向けた状態で、カードコネクタＣに挿入される。
【００２９】
大型カード２０はメモリースティックマイクロカードである。この大型カード２０は、図１７に示すように、カード本体２１と、このカード本体２１の幅方向の両端部の下側部分に設けられており且つ厚み寸法が当該カード本体２１の厚み寸法の略半分である一対のフランジ部２２と、カード本体２１の先端部の面上に幅方向に並べて配設された複数の電極２３とを備えている。
【００３０】
この大型カード２０は、電極２３が形成された面（以下、小型カード１０と同様に電極面と称する。）を下に向けた状態で、カードコネクタＣに挿入される。
【００３１】
カード本体２１は、図１８に示すように、その幅寸法が小型カード１０の幅寸法と略同じである。即ち、大型カード２０の幅寸法が、一対のフランジ部２２の分だけ小型カード１０の幅寸法よりも大きくなっている。また、カード本体２１は、その長さ寸法が小型カード１０の長さ寸法と略同じであるものの、図４に示すように、厚み寸法が小型カード１０の厚み寸法よりも大きくなっている
【００３２】
一方のフランジ部２２は、その後端側部分に設けられた矩形状の凹部を有している。他方のフランジ部２２は、その後端側部分の一方のフランジ部２２の凹部の対象位置に設けられた凹部と、先端側部分に設けられた係止凹部２２ａとを有している。
【００３３】
以下、カードコネクタＣについて詳しく説明する。
【００３４】
カードコネクタＣは、図１乃至図８に示すように、小型、大型カード１０、２０が互いに上下逆に向けた状態で挿入可能なスロット１０５ａを有するハウジング１００と、ハウジング１００のスロット１０５ａ内に設けられ且つ小型、大型カード１０、２０と共にカード排出位置からカード挿入位置にかけてスライド自在にされたスライダ２００と、ハウジング１００のスロット１０５ａの上側空間に幅方向に配列された８個の第１のコンタクト３００と、ハウジング１００のスロット１０５ａの下側空間に幅方向に配列された１１個の第２のコンタクト４００と、スライダ２００を小型、大型カード１０、２０と共にカード挿入位置からカード排出位置にかけて排出するためのイジェクト機構５００と、スライダ２００がカード挿入位置に位置したことを検出する位置検出スイッチ６００と、ハウジング１００のスロット１０５ａの幅方向の両側に配設される左右の位置規制バネ７００ａ、７００ｂ（即ち、位置規制手段）と、スライダ２００に取り付けられる左右のガイドブロック８００ａ、８００ｂとを備えている。以下、各部について詳しく説明する。
【００３５】
ハウジング１００は、図１乃至図１２に示すように、ボディ１００ａと、このボディ１００ａに被せられるカバー１００ｂとを有している。
【００３６】
ボディ１００ａは、図１乃至図１１に示すように、樹脂射出成型品であって、底板部１０１ａと、この底板部１０１ａの幅方向の両端部に各々設けられた側壁部１０２ａ、１０３ａと、底板部１０１ａのカード挿入方向の奥側の端部に設けられた後壁部１０４ａと、底板部１０１ａ上の側壁部１０２ａ、１０３ａ及び後壁部１０４ａにより区画される空間であるスロット１０５ａと、スロット１０５ａの上側空間の前面を開放する孔である第１の開口１０６ａと、スロット１０５ａの下側空間の前面を開放する孔であって、第１の開口１０６ａの下側に当該第１の開口１０６ａに連続して設けられた第２の開口１０７ａと、スロット１０５ａの上側空間に連通し且つ当該スロット１０５ａの上面を開放する第３の開口１０８ａとを有している。
【００３７】
第１の開口１０６ａは、図２及び図４に示すように、小型カード１０の上端部及び大型カード２０の上端部（即ち、カード本体２１の上端部）が各々挿入されるスロット１０５ａの入り口である。一方、第２の開口１０７ａは、小型カード１０の下端部及び大型カード２０の下端部（即ち、カード本体２１の下端部及び一対のフランジ部２２）が挿入されるスロット１０５ａの入り口である。即ち、第１の開口１０６ａは小型、大型カード１０、２０共通の入り口となっている。一方、第２の開口１０７ａは、中央部の上側部分だけが小型、大型カード１０、２０共通の入り口となっている。
【００３８】
底板部１０１ａの中央部には、図２、図３、図４、図１０及び図１１に示すように、１１個の第２のコンタクト４００の中間部が各々圧入される１１個のコンタクト取付溝１１０ａが幅方向に配列されている。
【００３９】
各コンタクト取付溝１１０ａは、カード挿入方向に向けて延びる断面略凹字状の長溝部１１１ａと、この長溝部１１１ａの上側に連続して設けられた断面略矩形状の長孔部１１２ａと、長溝部１１１ａ及び長孔部１１２ａに連続して設けられた貫通孔部１１３ａとを有する。
【００４０】
長溝部１１１ａの幅寸法は第２のコンタクト４００の中間部の幅寸法よりも若干小さくなっている。この長溝部１１１ａに第２のコンタクト４００の中間部が圧入される。
【００４１】
長孔部１１２ａの幅寸法は長溝部１１１ａの幅寸法よりも小さくなっている。この長孔部１１２ａの両縁部により、第２のコンタクト４００の中間部の上方への抜けが防止される。
【００４２】
貫通孔部１１３ａは、カード挿入時に下方に弾性変形した第２のコンタクト４００の接触部４３０との緩衝を避けるための孔である。
【００４３】
なお、図３及び図１１（ａ）に示すように、１１個のコンタクト取付溝１１０ａのうち図示右から３及び４列目のコンタクト取付溝１１０ａは、他のコンタクト取付溝１１０ａよりも若干幅広であり且つ長さ寸法が短くなっている。また、図示右から７列目のコンタクト取付溝１１０ａは、他のコンタクト取付溝１１０ａよりも長さ寸法が若干長くなっている。このようにコンタクト取付溝１１０ａは、幅寸法及び長さ寸法の違いにより３種類に大別されるが、上述の通り基本形状は略同じである。
【００４４】
また、底板部１０１ａの幅方向の両端部には、ガイドブロック８００ａ、８００ｂのガイド凸部８５０ａ、８６０ｂを各々ガイドする一対のガイドレール１９０ａがカード挿入方向に向けて設けられている。
【００４５】
後壁部１０４ａには、８個の第１のコンタクト３００の圧入部３２０が各々圧入される８個のコンタクト取付孔１２０ａが幅方向に配設されている。また、後壁部１０４ａの側壁部１０３ａ側の端部がカード挿入方向に向けて切り欠かれている。この切欠き部は、図５に示すように、位置検出スイッチ６００の第１、第２のスイッチ片６１０、６２０の先端部を、そのスイッチ動作時に収容するための凹部である。
【００４６】
各コンタクト取付孔１２０ａは、図１１に示すように、断面略矩形状の幅広孔部１２１ａと、この幅広孔部１２１ａの下側に当該幅広孔部１２１ａに連続して設けられた幅狭孔部１２２ａとを有する。
【００４７】
幅広孔部１２１ａは後壁部１０４ａをカード挿入方向に貫通する孔である。幅広孔部１２１ａの幅寸法は、第１のコンタクト３００の圧入部３２０の幅寸法よりも若干小さくなっている。この幅広孔部１２１ａに第１のコンタクト３００の圧入部３２０が圧入される。
【００４８】
幅狭孔部１２２ａも後壁部１０４ａをカード挿入方向に貫通する孔である。幅狭孔部１２２ａの幅寸法は、第１のコンタクト３００の接触部３３０の幅寸法よりも大きくなっている。この幅狭孔部１２２ａは、第１のコンタクト３００の圧入部３２０が幅広孔部１２１ａに圧入される際に、第１のコンタクト３００の接触部３３０が通る孔である。
【００４９】
なお、図１１（ａ）に示すように、８個のコンタクト取付孔１２０ａのうち図示左から１、２、３、５、７及び８列目のコンタクト取付孔１２０ａはスロット１０５ａ側の上壁部が切り欠かれている。図示左から２列目のコンタクト取付孔１２０ａはスロット１０５ａ側の上壁部が１、３、５、７及び８列目のコンタクト取付孔１２０ａよりも深く切り欠かれている。図示左から４及び６列目のコンタクト取付孔１２０ａはスロット１０５ａ側の上壁部が切り欠かれていない。このようにコンタクト取付孔１２０ａは切欠きの有無又は切欠きの大きさの違いにより３種類に大別されるが、上述の通り基本形状は略同じである。
【００５０】
側壁部１０３ａのカード挿入方向の奥側部分には、図３、図１０及び図１１に示すように、スライダ２００の突出部２２０及びイジェクト機構５００のコイルスプリング５１０を収容する収容凹部１３０ａが設けられている。
【００５１】
この収容凹部１３０ａの内側の壁部のカード挿入方向の手前側部分が切り欠かれている（以下、これを切欠き部１３１ａとする。）。この切欠き部１３１ａを通じてスライダ２００の突出部２２０が収容凹部１３０ａ内に挿入される。また、収容凹部１３０ａの奥側の壁部には、コイルスプリング５１０の後端部に挿入されることにより、当該コイルスプリング５１０の脱落するのを防止する円柱状の突起部１３２ａが設けられている。
【００５２】
側壁部１０３ａのカード挿入方向の手前側部分の内側部分には、図３、図８及び図１１に示すように、位置規制バネ７００ａが取り付けられる取付穴１４０ａが設けられている。この取付穴１４０ａは、そのカード挿入方向の奥側部分に設けられており且つ位置規制バネ７００ａの圧入板７２０ａが圧入される断面略矩形状の圧入穴１４１ａと、当該取付穴１４０ａの内側の壁のカード挿入方向の手前側部分に設けられた内側開放部１４２ａと、当該取付穴１４０ａの手前側の前壁に内側開放部１４２ａと連続して設けられた手前側開放部１４３ａと、取付穴１４０ａの手前側の上壁に設けられた切欠き部１４４ａとを有する。
【００５３】
内側開放部１４２ａは、スロット１０５ａに通じる横穴であって、圧入穴１４１ａに位置規制バネ７００ａの圧入板７２０ａが圧入された状態で、当該位置規制バネ７００ａの当接部７４０ａが挿入される。
【００５４】
手前側開放部１４３ａは、位置規制バネ７００ａを取付穴１４０ａに挿入するための穴である。
【００５５】
切欠き部１４４ａは、位置規制バネ７００ａの突片７５０ａとの干渉を避けるための凹部である。
【００５６】
側壁部１０２ａのカード挿入方向の手前側部分には、位置規制バネ７００ｂが取り付けられる取付穴１５０ａが設けられている。この取付穴１５０ａは、そのカード挿入方向の奥側部分に設けられており且つ位置規制バネ７００ｂの圧入板７２０ｂが圧入される断面略矩形状の圧入穴１５１ａと、当該取付穴１５０ａの内側の壁のカード挿入方向の手前側部分に設けられた内側開放部１５２ａと、当該取付穴１５０ａの手前側の前壁に内側開放部１５２ａと連続して設けられた手前側開放部１５３ａとを有する。
【００５７】
内側開放部１５２ａは、スロット１０５ａに通じる横穴であって、圧入穴１５１ａに位置規制バネ７００ｂの圧入板７２０ｂが圧入された状態で、当該位置規制バネ７００ｂの当接部７４０ｂが挿入される。
【００５８】
手前側開放部１５３ａは、位置規制バネ７００ｂを取付穴１５０ａに挿入するための穴である。
【００５９】
また、側壁部１０２ａ、１０３ａの内側開放部１５２ａ、１４２ａの上縁部には、図２及び図４に示すように、第１の開口１０６ａの両端部から露出する一対の突起部１６０ａが設けられている。
【００６０】
一対の突起部１６０ａの内面の間の距離は小型カード１０の幅寸法よりも若干大きく、大型カード２０の幅寸法よりも小さくなっている。即ち、大型カード２０がその電極面を上側に向けた状態で第１、第２の開口１０６ａ、１０７ａに挿入されるときに、一対の突起部１６０ａが大型カード２０の一対のフランジ部２２に当接し、大型カード２０の上下逆状態の誤挿入を防止するようになっている。
【００６１】
更に、側壁部１０２ａ、１０３ａのカード挿入方向の手前側部分の内側部分の上面には、図３、図５〜図８、図１０及び図１１に示すように、一対の突起部１６０ａを補強するカバー１００ｂの補強片１４０ｂが挿入される一対の挿入孔１７０ａが設けられている。
【００６２】
側壁部１０２ａのカード挿入方向の奥側部分には、図３及び図１１に示すように、位置検出スイッチ６００の第１のスイッチ片６１０の基端部が係止される第１の係止溝１８１ａが設けられている。また、後壁部１０４ａの側壁部１０２ａ側の端部には位置検出スイッチ６００の第２のスイッチ片６２０の基端部が係止される第２の係止溝１８２ａが設けられている。
【００６３】
第１の係止溝１８１ａは、平面視略Ｌ字状の係止溝本体と、側壁部１０２ａの外壁に設けられ且つ前記係止溝本体に連通するスリットとを有する。前記係止溝本体は、第１のスイッチ片６１０の基端部を係止する。前記スリットは、第１のスイッチ片６１０の基端部の接続片６１１を外部に突出させるための開口である。
【００６４】
第２の係止溝１８２ａは、平面視略Ｖ字状の係止溝本体と、後壁部１０４ａの外壁に設けられ且つ前記係止溝本体に連通するスリットとを有する。前記係止溝本体は、第２のスイッチ片６２０の基端部を係止する。前記スリットは、第２のスイッチ片６２０の基端部の接続片６２１を外部に突出させるための開口である。
【００６５】
カバー１００ｂは、図１、図２、図９、図１０及び図１２に示すように、プレス成型された導電性を有する金属板であって、ボディ１００ａの第３の開口１０８ａを覆う天板１０１ｂと、この天板１０１ｂの幅方向の両端部に各々略直角に設けられた一対の側板１０２ｂと、天板１０１ｂのカード挿入方向の手前側の端部の両端部に各々略直角に設けられた一対の前板１０３ｂと、天板１０１ｂの前記手前側の端部の中央部に設けられた略Ｌ字状の折曲板１０４ｂと、天板１０１ｂのカード挿入方向の奥側の端部の幅方向の一方側の端部に設けられた係止板１０５ｂとを有している。
【００６６】
天板１０１ｂの中心部には中央位置規制片１１０ｂが設けられている。この中央位置規制片１１０ｂは、天板１０１ｂの中心部がカットされた板体であって、基端部が下方に向けて折り曲げられ且つ先端部が天板１０１ｂと略平行になるように折り曲げられている。前記先端部が、小型、大型カード１０、２０に当接する部分となる。
【００６７】
また、天板１０１ｂの中央位置規制片１１０ｂのカード挿入方向の奥側部分には８個の長孔が設けられている。この長孔は、カード挿入時に弾性変形する接触部３３０との緩衝を避けるための孔であって、第１のコンタクト３００の接触部３３０の位置に対応して配置されている。
【００６８】
更に、天板１０１ｂの中央位置規制片１１０ｂの両側であり且つ中央位置規制片１１０ｂよりもカード挿入方向の手前側部分には一対の両側位置規制片１２０ｂが各々設けられている。この両側位置規制片１２０ｂは、天板１０１ｂの前記部分がカットされた板体であって、基端部が下方に向けて折り曲げられ且つ先端部が天板１０１ｂと略平行になるように折り曲げられている。前記先端部が、小型、大型カード１０、２０に当接する部分となる。
【００６９】
両側位置規制片１２０ｂの幅寸法は中央位置規制片１１０ｂの幅寸法よりも小さくなっている。また、両側位置規制片１２０ｂの折り曲げ角度が、図９に示すように、中央位置規制片１１０ｂの折り曲げ角度よりも若干小さくなっている。これにより、両側位置規制片１２０ｂの先端部の高さ位置が中央位置規制片１１０ｂの先端部の高さ位置よりも若干下方に位置している。このため、両側位置規制片１２０ｂは、その先端部が小型、大型カード１０、２０に弾性的に当接するようになっている。
【００７０】
即ち、両側位置規制片１２０ｂが小型、大型カード１０、２０に上方から弾性的に接触すると共に、スライダ２００のカード付勢バネ２１４及びコンタクト４００の接触部４３０が当該小型、大型カード１０、２０に下方から各々弾性的に接触することにより、小型、大型カード１０、２０がカード挿入位置で安定保持される。
【００７１】
また、中央位置規制片１１０ｂ及び両側位置規制片１２０ｂの先端部の高さ位置は、第１のコンタクト３００の接触部３３０の先端部の高さ位置よりも上方に位置している。この中央位置規制片１１０ｂ及び両側位置規制片１２０ｂの先端部に小型、大型カード１０、２０が当接することにより、第１のコンタクト３００の接触部３３０の先端部が小型、大型カード１０、２０に所定以上、上方に押圧されるのが防止される。
【００７２】
天板１０１ｂの幅方向の一方側の端部のカード挿入方向の奥側部分には規制板１３１ｂが設けられている。この規制板１３１ｂは、前記奥側部分の一部がカットされ、下方に向けて折り曲げられた略矩形状の板体であって、ボディ１００ａの側壁部１０３ａの内側面に当接するようになっている。
【００７３】
天板１０１ｂの幅方向の他方側の端部の両側位置規制片１２０ｂの外側部分には、図１及び図１２に示すように、規制板１３２ｂが設けられている。この規制板１３２ｂは、前記外側部分の一部がカットされ、下方に向けて折り曲げられた略台形状の板体であって、ボディ１００ａの側壁部１０２ａの内側面に当接するようになっている。
【００７４】
このように規制板１３１ｂ、１３２ｂがボディ１００ａの側壁部１０３ａ、１０２ａに各々当接することにより、カバー１００ｂがボディ１００ａに取り付けられた状態で、幅方向に移動するのが防止される。
【００７５】
更に、天板１０１ｂの前記一方側及び他方側の端部のカード挿入方向の手前側部分には、図１及び図１２に示すように、一対の補強片１４０ｂが各々設けられている。この補強片１４０ｂは前記一方側及び他方側の端部の一部が各々カットされ、下方に向けて折り曲げられた略矩形状の板体である。補強片１４０ｂは、ボディ１００ａの挿入孔１７０ａに挿入され、当該ボディ１００ａの突起部１６０ａを補強するようになっている。
【００７６】
天板１０１ｂの前記一方側の端部の補強片１４０ｂの外側部分には押さえ板１５０ｂが設けられている。この押さえ板１５０ｂは前記外側部分が略矩形状にカットされ且つ下方に向けて若干傾斜させられた略矩形状の板体であって、イジェクト機構５００のフックピン５２０に上方から弾性的に当接するようになっている。これにより、フックピン５２０がハートカム溝５３０を移動する際のガタつきが防止される。
【００７７】
一対の側板１０２ｂには、図１及び図１２に示すように、ボディ１００ａの側壁部１０２ａ、１０３ａの４つの係止凸部を係止する４つの係止孔１６１ｂと、図示しない基板に接続される２つの端子片１６２ｂとが各々設けられている。また、一対の側板１０２ｂのうち他方側の側板１０２ｂには、ボディ１００ａの第１の係止溝１８１ａの前記スリットから突出した第１のスイッチ片６１０の接続片６１１を外部に突出させる切欠き１６３ｂが設けられている。
【００７８】
一対の前板１０３ｂの内側部分には、ボディ１００ａの第２の開口１０７ａに応じた一対の略矩形状の切欠き部が各々設けられている。前板１０３ｂの一対の切欠き部の縁部１７０ｂの間の距離は、大型カード２０の幅寸法よりも若干大きくなっている。即ち、一対の縁部１７０ｂは、大型カード挿入時に、大型カード２０の一対のフランジ部２２の端面を各々規制するようになっている。これにより、大型カード挿入時の大型カード２０の幅方向への移動が防止される。
【００７９】
係止板１０５ｂには、ボディ１００ａの後壁部１０４ａの係止凸部を係止する係止孔１８０ｂが設けられている。
【００８０】
各第１のコンタクト３００は、図１〜図３、図５、図７、図８及び図１０に示すように、プレス成型された導電性を有する金属板であって、側面視略Ｌ字状の接続部３１０と、この接続部３１０の端部に連続する圧入部３２０と、この圧入部３２０の端部に連続しており且つ下方に向けて略Ｖ字状に折り曲げられた接触部３３０とを有する。
【００８１】
圧入部３２０は接触部３３０よりも幅広な板体であって、その両端面に２つの凸部が各々設けられている。この凸部がボディ１００ａのコンタクト取付孔１２０ａの幅広孔部１２１ａに圧入されることにより、圧入部３２０がボディ１００ａの後壁部１０４ａに取り付けられる。
【００８２】
接触部３３０は圧入部３２０よりも幅狭な板体であって、斜め下方に向けて傾斜している。この接触部３３０の先端部は下方に向けて略Ｖ字状に折り曲げられている。接触部３３０は、図９に示すように、圧入部３２０が幅広孔部１２１ａに圧入された状態で、スロット１０５ａの上側空間に配置される。これにより、前記先端部の頂部が小型カード１０の電極１３に接触可能となる。
【００８３】
接続部３１０は、圧入部３２０が幅広孔部１２１ａに圧入された状態で、ボディ１００ａの後壁部１０４ａから外側に突出する。この接続部３１０の下端部が図示しない基板に電気的に接続される。
【００８４】
なお、８個の第１のコンタクト３００は、圧入部３２０及び接触部３３０の長さ寸法の違いにより３種類に大別されるが、上述の通り基本形状は略同じである。
【００８５】
各第２のコンタクト４００は、プレス成型された導電性を有する金属板であって、階段状の接続部４１０と、この接続部４１０の端部に連続する圧入部４２０と、この圧入部４２０の端部に連続する接触部４３０とを有する。
【００８６】
圧入部４２０の接続部４１０側の端部の両端面には２つの凸部が各々設けられている。この凸部がボディ１００ａのコンタクト取付溝１１０ａの長溝部１１１ａに圧入されることにより、圧入部４２０がボディ１００ａの底板部１０１ａに取り付けられる。
【００８７】
接触部４３０は圧入部４２０よりも幅狭な板体であって、山状に湾曲している。この接触部４３０は、図９に示すように、圧入部４２０が長溝部１１１ａに圧入された状態で、貫通孔部１１３ａを通じてスロット１０５ａの下側空間であり且つ第１のコンタクト３００の接触部３３０よりも手前側の空間に配置される。これにより、接触部４３０の頂部が大型カード２０の電極２３に接触可能となる。
【００８８】
接続部４１０は、圧入部４２０が長溝部１１１ａに圧入された状態で、ボディ１００ａの底板部１０１ａから外側に突出する。この接続部４１０の下端部が図示しない基板に電気的に接続される。
【００８９】
なお、１１個の第２のコンタクト４００は、圧入部４２０の長さ寸法及び幅寸法に違いにより３種類に大別されるが、上述の通り基本形状は略同じである。
【００９０】
位置規制バネ７００ａは、図３（ａ）、図１０及び図１３に示すように、プレス成型された金属板であって、固定板７１０ａと、この固定板７１０ａに連続して設けられた断面略Ｌ字状の圧入板７２０ａと、この圧入板７２０ａの上端部に固定板７１０ａと同方向に向けて延出され且つ内側に傾斜させられた傾斜板７３０ａと、この傾斜板７３０ａの先端部に設けられ且つ内側にフック状に折り曲げられた当接部７４０ａと、この当接部７４０ａの上端に設けられた突片７５０ａとを有している。
【００９１】
圧入板７２０ａは、取付穴１４０ａの圧入穴１４１ａに圧入される。固定板７１０ａは、取付穴１４０ａに挿入され、当該取付穴１４０ａの一端側の壁面と内側開放部１４２ａの下側縁部との間で挟持される。このようにして位置規制バネ７００ａが取付穴１４０ａに取り付けられる。
【００９２】
当接部７４０ａは、内側開放部１４２ａから内側に突出し、カード挿入位置に位置するスライダ２００の一方側の窓部２１１ａに係合される。この係合状態で、当接部７４０ａは、一方側の窓部２１１ａを通じてスロット１０５ａ内に臨み、大型カード２０の一方側のフランジ部２２に弾性的に当接可能になっている。
【００９３】
突片７５０ａは円弧状の突起である。この突片７５０ａの一端部は、当接部７４０ａが内側開放部１４２ａから内側に突出した状態で、切欠き部１４４ａに収容される。即ち、突片７５０ａの他端部が切欠き部１４４ａから突出してスロット１０５ａ内に望み、スライダ２００の上側係止アーム２１３ａを係止可能になっている。また、突片７５０ａは、当接部７４０ａが大型カード２０の一方側のフランジ部２２に押圧された状態で、当該当接部７４０ａと共に外側に変位し、当該突片７５０ａ全体が切欠き部１４４ａに収容される。これにより、突片７５０ａとスライダ２００の上側係止アーム２１３ａの第２の係止部２１３ａ２との係止が回避される。
【００９４】
傾斜板７３０ａは外側に向けて弾性変形可能な略矩形状の板体である。傾斜板７３０ａは、当接部７４０ａが大型カード２０の一方側のフランジ部２２又はスライダ２００の一方側の窓部２１１ａの縁部に押圧されることにより、弾性変形するようになっている。
【００９５】
位置規制バネ７００ｂは位置規制バネ７００ａと対称であり且つ突片７５０ａが除去されている以外、同様の構成となっている。
【００９６】
圧入板７２０ｂは、取付穴１５０ａの圧入穴１５１ａに圧入される。固定板７１０ｂは、取付穴１５０ａに挿入され、当該取付穴１５０ａの一端側の壁面と内側開放部１５２ａの下側縁部との間で挟持される。このようにして位置規制バネ７００ｂが取付穴１５０ａに取り付けられる。
【００９７】
当接部７４０ｂは、内側開放部１５２ａから突出し、カード挿入位置に位置するスライダ２００の他方側の窓部２１１ａに係合される。この係合状態で、当接部７４０ｂは、他方側の窓部２１１ａを通じてスロット１０５ａに臨み、大型カード２０の他方側のフランジ部２２に弾性的に当接可能になっている。
【００９８】
当接部７４０ａ、７４０ｂの間の距離はスライダ２００の両上側ガイド部２１３の間の距離と略同じになっている。即ち、当接部７４０ａ、７４０ｂは小型カード１０の幅方向の両端面の第２の開口１０７ａを通じてスロット１０５ａに挿入された部分をガイドするようになっている。
【００９９】
また、当接部７４０ａ、７４０ｂは、第２の開口１０７ａを通じてスロット１０５ａに挿入された大型カード２０の一対のフランジ部２２の端面に弾性的に当接し、当該大型カード２０の両端面を挟持するようになっている。これにより、大型カード２０の幅の寸法交差に関係なく、大型カード２０をスロット１０５ａ内の中央位置（即ち、大型カード２０の電極２３が第２のコンタクト４００の接触部４３０に接触可能な位置）へ位置合わせすることができる。
【０１００】
傾斜板７３０ｂは外側に向けて弾性変形可能な略矩形状の板体である。傾斜板７３０ｂは、当接部７４０ｂが大型カード２０の他方側のフランジ部２２又はスライダ２００の他方側の窓部２１１ａの縁部に押圧されることにより、弾性変形するようになっている。
【０１０１】
スライダ２００は、図３、図１０及び図１４に示すように、プレス成型された金属板であって、スライダ本体２１０と、このスライダ本体２１０の幅方向の一端部のカード挿入方向の奥側部分に外側に向けて設けられた突出部２２０と、スライダ本体２１０の前記一端部及び他端部に各々設けられた一対のブロック取付部２３０ａ、２３０ｂとを有する。
【０１０２】
スライダ本体２１０の前記一端部及び他端部は一つの段差を有する階段状に折り曲げられている。前記一端部及び他端部の上方に折り曲げられた基端部が一対の下側ガイド部２１１となる。また、前記一端部及び他端部の内側に向けて略直角に折り曲げられた中間部が一対の段部２１２となる。前記一端部及び他端部の上方に向けて略直角に折り曲げられた先端部が一対の上側ガイド部２１３となる。
【０１０３】
一対の下側ガイド部２１１は、ボディ１００ａの内側開放部１４２ａ、１５２ａの下側縁部の間にカード挿入位置からカード排出方向にかけて移動自在にガイドされる。
【０１０４】
この下側ガイド部２１１の内面の間の距離は大型カード２０の幅寸法よりも若干大きくなっている。これにより、一対の下側ガイド部２１１が小型カード１０の幅方向の両端面を各々ガイド可能になっている。
【０１０５】
一対の上側ガイド部２１３は、下側ガイド部２１１がボディ１００ａの内側開放部１４２ａ、１５２ａの下側縁部の間に嵌まり込んだ状態で、ボディ１００ａの突起部１６０ａの内側に配置される。この上側ガイド部２１３の内面の間の距離は小型カード１０の幅方向よりも若干大きくなっている。これにより、一対の上側ガイド部２１３が小型カード１０の幅方向の両端面を各々ガイド可能になっている。
【０１０６】
また、一方側の上側ガイド部２１３の中間部には、小型カード１０の係止凹部１２ａに係止可能な上側係止アーム２１３ａ設けられている。この上側係止アーム２１３ａは、前記中間部がカットされて作成されたものであって、その先端部が内側に鉤状に折り曲げられている。上側係止アーム２１３ａの先端部の内側に向けて凸となるように折り曲げられた部分が小型カード１０の係止凹部１２ａに係止可能な第１の係止部２１３ａ１になっている。また、上側係止アーム２１３ａの先端部の第１の係止部２１３ａ１に連続し且つ当該第１の係止部２１３ａ１と反対側に向けて凸となるように折り曲げられた部分が位置規制バネ７００ａの突片７５０ａに係止可能な第２の係止部２１３ａ２となっている。
【０１０７】
一対の下側ガイド部２１１のカード挿入方向の手前側部分には、スライダ２００がカード挿入位置に位置した状態で、位置規制バネ７００ａ、７００ｂの当接部７４０ａ、７４０ｂを各々係合する一対の窓部２１１ａが開設されている。窓部２１１ａと当接部７４０ａ、７４０ｂとの係合は、スライダ２００がカード排出位置へ移動することにより解除される。
【０１０８】
他方側の下側ガイド部２１１の奥側部分には、大型カード２０の係止凹部２２ａに係止可能な下側係止アーム２１１ｂが設けられている。下側係止アーム２１１ｂは前記奥側部分がカットされ且つその先端部が内側に鉤状に折り曲げられて作成されたものである。即ち、下側係止アーム２１１ｂの先端部が大型カード２０の係止凹部２２ａに係止可能になっている。
【０１０９】
スライダ本体２１０の中央部にはカード付勢バネ２１４（即ち、付勢手段）が設けられている。このカード付勢バネ２１４は、前記中央部がカットされ、上方に向けて折り曲げられた略矩形状の板体であって、ハウジング１００の第２の開口１０７ａを通じて挿入された小型、大型カード１０、２０を上方に付勢するようになっている。即ち、カード付勢バネ２１４が小型、大型カード１０、２０を上方に付勢すると共に、カバー１００ｂの両側位置規制片１２０ｂ及び中央位置規制片１１０ｂが当該小型、大型カード１０、２０に当接することにより、小型、大型カード１０、２０の厚みの寸法交差に関係なく、小型、大型カード１０、２０を第１、第２のコンタクト３００、４００の接触部３３０、４３０の間の接続空間へ位置合わせするようになっている。
【０１１０】
突出部２２０は、切欠き部１３１ａを通じてボディ１００ａの収容凹部１３０ａにカード挿入方向に移動自在に収容される。この突出部２２０は、断面略Ｌ字状のベース板２２１と、このベース板２２１の先端部のカード挿入方向の奥側の端部に連続して設けられており且つ下方に向けて略直角に折り曲げられた押圧板２２２とを有する。
【０１１１】
押圧板２２２はイジェクト機構５００のコイルスプリング５１０にカード排出方向に向けて付勢される部分である。この押圧板２２２は、図８に示すように、スライダ２００がカード排出位置からカード挿入位置にかけて移動すると、コイルスプリング５１０を収容凹部１３０ａの奥側面との間で圧縮する。押圧板２２２の中央部には、当該中央部がカットされ且つカード挿入方向に向けて折り曲げられた板体である保持板２２２ａが設けられている。この保持板２２２ａがイジェクト機構５００のコイルスプリング５１０の先端部に挿入されることにより、当該コイルスプリング５１０の先端部を保持するようになっている。
【０１１２】
ベース板２２１の先端部は、ボディ１００ａの収容凹部１３０ａの手前側の壁部に当接可能になっている。即ち、前記先端部がボディ１００ａの収容凹部１３０ａの手前側の壁部に当接することにより、スライダ２００がカード排出位置で位置決めされる。即ち、前記先端部が収容凹部１３０ａの手前側の壁部に当接する位置がカード排出位置となる。また、前記先端部には、イジェクト機構５００のフックピン５２０の一端部が回動自在に嵌まり込む貫通孔２２１ｂが設けられている。
【０１１３】
ベース板２２１の基端部には、当該基端部がカットされ形成された板体であって、スライダ本体２１０の中央部に対して水平に延びた保護板２２１ａが設けられている。この保護板２２１ａは貫通孔２２１ｂの下方に位置し、当該貫通孔２２１ｂに嵌合したフックピン５２０の一端部が収容凹部１３０ａに当接しないように保護している。
【０１１４】
ブロック取付部２３０ａは、図１４に示すように、ベース板２２１の基端部のカード挿入方向の奥側の端部に連続する平面視略Ｌ字状の支持板２３１ａと、スライダ本体２１０の支持板２３１ａの下側部分に設けられた略矩形状の切欠き２３２ａと、支持板２３１ａの上端部に設けられた係止片２３３ａとを有している。
【０１１５】
支持板２３１ａ上にはガイドブロック８００ａのフランジ８６０ａが載置可能になっている。切欠き２３２ａにはガイドブロック８００ａのガイド凸部８５０ａが嵌まり込む。係止片２３３ａは、ガイドブロック８００ａの横穴８７０ａに係止される。
【０１１６】
ブロック取付部２３０ｂは、スライダ本体２１０の前記他端部のカード挿入方向の奥側の端部に連続する平面視略Ｌ字状の支持板２３１ｂと、スライダ本体２１０の支持板２３１ｂの下側部分に設けられた略矩形状の切欠き２３２ｂと、支持板２３１ｂの上端部に設けられた係止片２３３ｂとを有している。
【０１１７】
切欠き２３２ｂにはガイドブロック８００ｂのガイド凸部８６０ｂが嵌まり込む。係止片２３３ｂは、ガイドブロック８００ｂの横穴８７０ｂに係止される。
【０１１８】
ガイドブロック８００ａは、図３、図９、図１０及び図１５に示すように、樹脂射出成型品であって、ブロック本体部８１０ａと、ブロック本体部８１０ａの上側部分に設けられた上側ガイド面８２０ａと、ブロック本体部８１０ａの下側部分に設けられた下側ガイド面８３０ａと、ブロック本体部８１０ａの下側ガイド面８３０ａの内側部分に設けられた凹部８４０ａと、ブロック本体部８１０ａの下面に設けられたガイド凸部８５０ａと、ブロック本体部８１０ａの外側面に設けられたフランジ８６０ａと、ブロック本体部８１０ａの外側面のフランジ８６０ａの上側部分に設けられた横穴８７０ａとを有する。
【０１１９】
一方、ガイドブロック８００ｂは、樹脂射出成型品であって、ブロック本体部８１０ｂと、ブロック本体部８１０ｂの上側部分に設けられた上側ガイド面８２０ｂと、ブロック本体部８１０ｂの下側部分に設けられた下側ガイド面８３０ｂと、ブロック本体部８１０ｂの上側ガイド面８２０ｂの内側部分に設けられた上側凹部８４０ｂと、ブロック本体部８１０ｂの下側ガイド面８３０ｂの内側部分に設けられた凹部８５０ｂと、ブロック本体部８１０ｂの下面に設けられたガイド凸部８６０ｂと、ブロック本体部８１０ｂの外側面に設けられた横穴８７０ｂとを有する。
【０１２０】
横穴８７０ａにはスライダ２００の係止片２３３ａが挿入される。ガイド凸部８５０ａはスライダ２００の切欠き２３２ａに嵌合する。フランジ８６０ａはスライダ２００の支持板２３１ａ上に載置される。このように横穴８７０ａに係止片２３３ａが挿入され、ガイド凸部８５０ａが切欠き２３２ａに嵌合し、フランジ８６０ａが支持板２３１ａ上に載置されることにより、ガイドブロック８００ａがスライダ２００のブロック取付部２３０ａに取り付けられる。
【０１２１】
一方、横穴８７０ｂにはスライダ２００の係止片２３３ｂが挿入される。ガイド凸部８６０ｂはスライダ２００の切欠き２３２ｂに嵌合する。このようにガイド凸部８６０ｂが切欠き２３２ｂに嵌合し、横穴８７０ｂに係止片２３３ｂが挿入されることにより、ガイドブロック８００ｂがスライダ２００のブロック取付部２３０ｂに取り付けられる。
【０１２２】
ガイド凸部８５０ａ、８６０ｂは、スライダ２００の切欠き２３２ａ、２３２ｂに嵌合した状態で、ボディ１００ａの一対のガイドレール１９０ａに各々カード挿入方向に移動自在に嵌まり込む。これにより、スライダ２００がカード挿入位置からカード排出方向にかけて移動自在となる。
【０１２３】
上側ガイド面８２０ａは、ブロック本体部８１０ａの角部の中央部が内側に向けて円弧状に切り欠かれた部分の円弧面である。この上側ガイド面８２０ａは、ガイドブロック８００ａがスライダ２００のブロック取付部２３０ａに取り付けられた状態で、スロット１０５ａの内側に向けて漸次増大するテーパ面となる。
【０１２４】
上側ガイド面８２０ｂも、ブロック本体部８１０ｂの角部の中央部が内側に向けて円弧状に切り欠かれた部分の円弧面である。この上側ガイド面８２０ｂは、ガイドブロック８００ｂがスライダ２００のブロック取付部２３０ａに取り付けられた状態で、スロット１０５ａの内側に向けて漸次増大するテーパ面となる。
【０１２５】
この上側ガイド面８２０ａ、８２０ｂに小型カード１０の先端の両角部が各々当接することにより、当該小型カード１０の向きがスロット１０５ａ内の中央位置（即ち、電極１３が第１のコンタクト３００の接触部３３０に接触可能な位置）にカード挿入方向に沿って真っ直ぐ向けられる。また、上側ガイド面８２０ａ、８２０ｂが小型カード１０の前記両角部に押圧されることにより、スライダ２００がカード排出位置からカード挿入位置にかけて小型カード１０と共に移動する。
【０１２６】
下側ガイド面８３０ａは、ブロック本体部８１０ａの角部の下端部が前記中央部よりも内側に向けて深く円弧状に切り欠かれた部分の円弧面である。この下側ガイド面８３０ａは、ガイドブロック８００ａがスライダ２００のブロック取付部２３０ａに取り付けられた状態で、スロット１０５ａの内側に向けて漸次増大するテーパ面となる。
【０１２７】
下側ガイド面８３０ｂも、ブロック本体部８１０ｂの角部の下端部が前記中央部よりも内側に向けて深く円弧状に切り欠かれた部分の円弧面である。この下側ガイド面８３０ｂは、ガイドブロック８００ａがスライダ２００のブロック取付部２３０ａに取り付けられた状態で、スロット１０５ａの内側に向けて漸次増大するテーパ面となる。
【０１２８】
この下側ガイド面８３０ａ、８３０ｂに大型カード２０のフランジ部２２の両先端部が各々当接することにより、当該大型カード２０の向きがスロット１０５ａ内の上記中央位置にカード挿入方向に沿って真っ直ぐ向けられる。また、下側ガイド面８３０ａ、８３０ｂが大型カード２０の前記両先端部に押圧されることにより、スライダ２００がカード排出位置からカード挿入位置にかけて大型カード２０と共に移動する。
【０１２９】
凹部８４０ａは最も一端側に位置する第２のコンタクト４００との緩衝を避けるための切欠き部である。上側凹部８４０ｂは最も他端側に位置する第１のコンタクト３００との緩衝を避けるための切欠き部である。下側凹部８５０ｂは最も他端側に位置する第２のコンタクト４００との緩衝を避けるための切欠き部である。
【０１３０】
イジェクト機構５００は、周知のプッシュ−プッシュ型のイジェクト機構であって、スライダ２００の押圧板２２２をカード排出方向へ付勢するコイルスプリング５１０と、一端部がスライダ２００の貫通孔２２１ｂに回動自在に嵌まり込むフックピン５２０と、ボディ１００ａの側壁部１０３ａの上面の取付穴１４０ａの外側部に設けられており且つフックピン５２０の他端部を案内するハートカム溝５３０とを有している。
【０１３１】
コイルスプリング５１０は、先端部にスライダ２００の押圧板２２２の保持板２２２ａが挿入され、後端部にボディ１００ａの収容凹部１３０ａの突起部１３２ａが挿入された状態で、押圧板２２２と収容凹部１３０ａの奥側面との間で圧縮保持される。
【０１３２】
フックピン５２０の他端部は、スライダ２００がカード挿入位置に位置したとき、当該ハートカム溝５３０の所定箇所に係止され、スライダ２００がカード挿入位置から更にカード挿入方向に移動したとき、ハートカム溝５３０内を移動し、前記所定箇所との係止が解除されるようになっている。即ち、フックピン５２０の他端部が前記所定箇所に係止される位置がカード挿入位置となる。
【０１３３】
位置検出スイッチ６００は、プレス成型された導電性を有する金属板である第１、第２のスイッチ片６１０、６２０を有している。
【０１３４】
第１のスイッチ片６１０は、平面視略Ｌ字状に折り曲げられた基端部と、この基端部に連続しており且つ平面視略Ｖ字状に折り曲げられた中間部と、この中間部に連続する先端部とを有している。前記基端部はボディ１００ａの第１の係止溝１８１ａに挿入され係止される。前記基端部の下端部には、ボディ１００ａの第１の係止溝１８１ａのスリット及びカバー１００ｂの切欠き１６３ｂを通じて外部に突出する接続片６１１が設けられている。接続片６１１は図示しない電気的に基板に接続される。前記中間部及び先端部は、前記基端部が第１の係止溝１８１ａに係止された状態で、第１のコンタクト３００の下側空間に配置される。
【０１３５】
第２のスイッチ片６２０は、平面視略Ｖ字状に折り曲げられた基端部と、この基端部に連続しており且つ平面視略Ｖ字状に折り曲げられた中間部と、この中間部に連続する先端部とを有している。前記基端部はボディ１００ａの第２の係止溝１８２ａに挿入され係止される。前記基端部の下端部には、ボディ１００ａの第２の係止溝１８２ａのスリットを通じて外部に突出する接続片６２１が設けられている。接続片６２１は図示しない電気的に基板に接続される。前記中間部及び先端部は、前記基端部が第２の係止溝１８２ａに係止された状態で、第１のコンタクト３００の下側空間に配置される。
【０１３６】
第１のスイッチ片６１０の先端部は、スライダ２００と共にカード挿入方向に移動するガイドブロック８００ａに押圧され、第２のスイッチ片６２０の先端部に接触する。これにより、図示しない基板を通じてカードコネクタＣが搭載される電子機器に小型、大型カード１０、２０が挿入されたことを示す信号が出力される。スライダ２００がカード挿入位置に位置すると、第１、第２のスイッチ片６１０、６２０の先端部がガイドブロック８００ａに更に押圧され、ボディ１００ａの後壁部１０４ａの上記切欠き部に収容される。
【０１３７】
このような構成のカードコネクタＣは、以下の手順で組み立てられる。まず、図１０に示すように、第２のコンタクト４００の接触部４３０をボディ１００ａのコンタクト取付溝１１０ａに各々位置合わせしつつ底板部１０１ａの前方から挿入する。そして、第２のコンタクト４００の圧入部４２０をコンタクト取付溝１１０ａの長溝部１１１ａに各々圧入する。これにより第２のコンタクト４００がボディ１００ａの底板部１０１ａに各々取り付けられる。この状態で、図３に示すように、接触部４３０がコンタクト取付溝１１０ａの貫通孔部１１３ａを通じてスロット１０５ａの下側空間のカード挿入方向の中間エリアに各々配置される。これと共に、第２のコンタクト４００の接続部４１０がコンタクト取付溝１１０ａの前方から突出する。
【０１３８】
その後、位置規制バネ７００ａ、７００ｂの圧入板７２０ａ、７２０ｂをボディ１００ａの取付穴１４０ａ、１５０ａの手前側開放部１４３ａ、１５３ａから当該取付穴１４０ａ、１５０ａに各々挿入する。そして、位置規制バネ７００ａの突片７５０ａをボディ１００ａの手前側開放部１４３ａから取付穴１４０ａに挿入する。
【０１３９】
その後、圧入板７２０ａ、７２０ｂを取付穴１４０ａ、１５０ａの圧入穴１４１ａ、１５１ａに各々圧入する。すると、位置規制バネ７００ａ、７００ｂの固定板７１０ａ、７１０ｂが取付穴１４０ａ、１５０ａの一端側の壁面と内側開放部１４２ａ、１５２ａの下側縁部の外側面との間で挟持される。これと共に、位置規制バネ７００ａ、７００ｂの当接部７４０ａ、７４０ｂが取付穴１４０ａ、１５０ａの内側開放部１４２ａ、１５２ａから内側に突出し、スロット１０５ａ内に臨む。このとき、位置規制バネ７００ａの突片７５０ａがボディ１００ａの切欠き部１４４ａに入り込み、当該突片７５０ａの他端部がボディ１００ａの切欠き部１４４ａから内側に突出してスロット１０５ａ内に臨む。
【０１４０】
その後、ガイドブロック８００ａの横穴８７０ａにスライダ２００のブロック取付部２３０ａの係止片２３３ａを挿入する。これと共に、ガイドブロック８００ａのガイド凸部８５０ａをブロック取付部２３０ａの切欠き２３２ａに嵌合させる。すると、ガイドブロック８００ａのフランジ８６０ａがブロック取付部２３０ａの支持板２３１ａ上に載置される。これにより、ガイドブロック８００ａがブロック取付部２３０ａに取り付けられる。
【０１４１】
その一方で、ガイドブロック８００ｂの横穴８７０ｂにスライダ２００のブロック取付部２３０ｂの係止片２３３ｂを挿入する。これと共に、ガイドブロック８００ｂのガイド凸部８６０ｂをブロック取付部２３０ｂの切欠き２３２ｂに嵌合させる。これにより、ガイドブロック８００ｂがブロック取付部２３０ｂに取り付けられる。
【０１４２】
その後、スライダ２００のスライダ本体２１０をスロット１０５ａに上方から挿入し、当該スライダ本体２１０を取付穴１４０ａ、１５０ａの内側開放部１４２ａ、１５２ａの下側縁部の内側面の間に嵌め込む。すると、ガイドブロック８００ａ、８００ｂのガイド凸部８５０ａ、８６０ｂがボディ１００ａの一対のガイドレール１９０ａに各々嵌まり込む。これと共に、スライダ２００の突出部２２０をボディ１００ａの収容凹部１３０ａに上方から挿入する。
【０１４３】
その後、フックピン５２０の一端部をスライダ２００の突出部２２０の貫通孔２２１ｂに嵌め込み、当該フックピン５２０の他端部をハートカム溝５３０に挿入する。そして、コイルスプリング５１０の先端部、後端部に突出部２２０の保持板２２２ａ、収容凹部１３０ａの突起部１３２ａを各々挿入する。これにより、コイルスプリング５１０が突出部２２０の押圧板２２２と収容凹部１３０ａの奥側面との間で圧縮状態で保持される。
【０１４４】
スライダ２００が作業者の手から解放されると、押圧板２２２がコイルスプリング５１０に押圧され、スライダ２００がスロット１０５ａ内をカード排出方向へ移動する。そして、スライダ２００のベース板２２１の先端部が収容凹部１３０ａの手前側の壁面に当接する。これにより、スライダ２００がカード排出位置に位置決めされる。
【０１４５】
このとき、スライダ２００の一対の窓部２１１ａの手前側の縁部が位置規制バネ７００ａ、７００ｂの当接部７４０ａ、７４０ｂを乗り越える。これにより、当接部７４０ａが窓部２１１ａに各々係合され、カード付勢バネ２１４がスロット１０５ａの下側空間のカード挿入方向の手前側エリアに配置される。これと共に、ガイドブロック８００ａの凹部８４０ａに最も一端側に位置する第２のコンタクト４００の接触部４３０が挿入され、ガイドブロック８００ｂの下側凹部８５０ｂに最も他端側に位置する第２のコンタクト４００の接触部４３０が挿入される。
【０１４６】
その後、位置検出スイッチ６００の第１、第２のスイッチ片６１０、６２０の基端部をボディ１００ａの第１、第２の第１、第２の係止溝１８１ａ、１８２ａに各々挿入する。これにより、前記基端部が第１、第２の係止溝１８１ａ、１８２ａに各々係止される。このとき、第１、第２のスイッチ片６１０、６２０の接続片６１１、６２１が第１、第２の係止溝１８１ａ、１８２ａのスリットに各々挿入される。すると、接続片６１１、６２１がボディ１００ａの側壁部１０２ａ、後壁部１０４ａから各々外側に突出する。これと共に、第１、第２のスイッチ片６１０、６２０の先端部がスロット１０５ａの下側空間のカード挿入方向の奥側エリアに各々配置される。
【０１４７】
その後、第１のコンタクト３００の接触部３３０をボディ１００ａのコンタクト取付孔１２０ａの幅狭孔部１２２ａに各々位置合わせしつつ後壁部１０４ａの後方から挿入する。そして、第１のコンタクト３００の圧入部３２０をコンタクト取付孔１２０ａの幅広孔部１２１ａに各々圧入する。これにより、第１のコンタクト３００がボディ１００ａの後壁部１０４ａに各々取り付けられる。この状態で、図３に示すように、接触部３３０がスロット１０５ａの上側空間の第１、第２のスイッチ片６１０、６２０の上方に配置される。これと共に、第１のコンタクト３００の接続部３１０がコンタクト取付孔１２０ａの後方から突出する。
【０１４８】
その後、カバー１００ｂの一対の補強片１４０ｂをボディ１００ａの一対の挿入孔１７０ａに各々位置合わせしつつ挿入する。これと共に、一対の側板１０２ｂの４つの係止孔１６１ｂにボディ１００ａの側壁部１０２ａ、１０３ａの４つの係止凸部を各々嵌合させ、係止板１０５ｂの係止孔１８０ｂにボディ１００ａの後壁部１０４ａの係止凸部を嵌合させる。
【０１４９】
このとき、カバー１００ｂの規制板１３１ｂ、１３２ｂがボディ１００ａの側壁部１０３ａ、１０２ａに各々当接する。これと共に、カバー１００ｂの一対の前板１０３ｂがボディ１００ａの取付穴１４０ａ、１５０ａの手前側開放部１４３ａ、１５３ａを覆う。これにより、前板１０３ｂの一対の切欠き部の縁部１７０ｂがボディ１００ａの第２の開口１０７ａの両側に配置される。このようにしてカバー１００ｂがボディ１００ａに取り付けられる。
【０１５０】
このように組み立てられたカードコネクタＣは、図示しない基板上に実装された状態で、以下のように使用される。
【０１５１】
まず、小型カード１０が電極面を上方に向けた状態（即ち、小型カード１０を所定の正規の向きの状態）でボディ１００ａの第１、第２の開口１０６ａ、１０７ａを通じてスロット１０５ａに挿入されると、小型カード１０の幅方向の両端面がスライダ２００の一対の上側ガイド部２１３及び位置規制バネ７００ａ、７００ｂの当接部７４０ａ、７４０ｂに各々ガイドされる。
【０１５２】
このとき、小型カード１０の下面（即ち、電極面の反対側の面）がスライダ２００のカード付勢バネ２１４により上方に付勢される。これにより、小型カード１０が上方に移動する。
【０１５３】
その後、小型カード１０がスロット１０５ａの奥側に更に挿入されると、小型カード１０の電極面がカバー１００ｂの一対の両側位置規制片１２０ｂ及び中央位置規制片１１０ｂに順次当接する。即ち、小型カード１０の下面がカード付勢バネ２１４に付勢されると共に、当該小型カード１０の電極面が一対の両側位置規制片１２０ｂ及び中央位置規制片１１０ｂに当接されることにより、小型カード１０の挿入姿勢が略水平に保たれ、上記接続空間に対応した高さ位置に配置される。また、一対の両側位置規制片１２０ｂ及び中央位置規制片１１０ｂが小型カード１０の電極面に当接することにより、カード挿入時に、小型カード１０の後端面の幅方向の一方側の部分が押されることを起因とする小型カード１０の周方向への回転が防止されると共に、小型カード１０がカード付勢バネ２１４の先端部を支点する幅方向への揺動も防止される。これにより、小型カード１０の挿入時のガタつきが防止される。
【０１５４】
この挿入過程で、小型カード１０の張出部１２がスライダ２００の上側係止アーム２１３ａの第１の係止部２１３ａ１を外側に押圧する。これにより、上側係止アーム２１３ａが外側に弾性変形し、当該上側係止アーム２１３ａの先端部が外側に変位する。
【０１５５】
その後、小型カード１０がスロット１０５ａの奥側に更に挿入されると、図５に示すように、小型カード１０の先端部の両角部がガイドブロック８００ａ、８００ｂの上側ガイド面８２０ａ、８２０ｂに各々当接する。これにより、小型カード１０の向きがスロット１０５ａ内の中央位置でカード挿入方向に沿って真っ直ぐ向けられる。
【０１５６】
この挿入過程で、スライダ２００の上側係止アーム２１３ａの第１の係止部２１３ａ１が小型カード１０の係止凹部１２ａに嵌まり込む。これにより、上側係止アーム２１３ａの先端部が元の位置に復帰し、第１の係止部２１３ａ１が小型カード１０を係止する。
【０１５７】
その後、小型カード１０がスロット１０５ａの奥側に更に挿入されると、小型カード１０の両角部によりガイドブロック８００ａ、８００ｂの上側ガイド面８２０ａ、８２０ｂが各々押圧される。これにより、スライダ２００が小型カード１０と共にカード排出位置からカード挿入位置にかけて移動する。これと共に、ガイドブロック８００ａ、８００ｂのガイド凸部８５０ａ、８６０ｂがボディ１００ａの一対のガイドレール１３０ａを移動する。
【０１５８】
このとき、フックピン５２０の一端部がスライダ２００の貫通孔２２１ｂ内で回転しつつ、当該フックピン５２０の他端部がハートカム溝５３０内を移動する。これと共に、コイルスプリング５１０は、スライダ２００の押圧板２２２と収容凹部１３０ａの奥側面との間で圧縮される。また、スライダ２００の一対の窓部２１１ａの手前側の縁部が当接部７４０ａ、７４０ｂを押圧する。これにより、位置規制バネ７００ａ７００ｂの傾斜板７３０ａ、７３０ｂが弾性変形し、当接部７４０ａ、７４０ｂが外側に変位する。なお、一対の窓部２１１ａの手前側の縁部が当接部７４０ａ、７４０ｂ上を通過すると、位置規制バネ７００ａ７００ｂの傾斜板７３０ａ、７３０ｂの復帰力により、当接部７４０ａ、７４０ｂが内側に復帰する。
【０１５９】
小型カード１０がカード挿入位置に位置すると、図８（ａ）に示すように、第１、第２のコンタクト３００、４００の接触部３３０、４３０の間の上記接続空間に挿入される。これにより、小型カード１０が第１、第２のコンタクト３００、４００の接触部３３０、４３０の間で弾性的に挟持される。これと共に、小型カード１０の電極１３が第１のコンタクト３００の接触部３３０に各々弾性的に接触する。このため、接触部３３０と電極１３との安定した接触を図ることができ、カードコネクタＣが外部から衝撃や振動を受けた場合であっても、チャタリングの発生を防止することができる。
【０１６０】
このとき、フックピン５２０の他端部がハートカム溝５３０の所定箇所に嵌まり込み、係止される。これにより、スライダ２００がカード挿入位置で係止される。また、スライダ２００と共に移動するガイドブロック８００ａにより、第１のスイッチ片６１０の先端部が押圧され、第２のスイッチ片６２０の先端部に接触する。そして、両先端部がボディ１００ａの後壁部１０４ａの切欠き部に収容される。これにより、スライダ２００がカード挿入位置に位置したことを示す信号が上記基板を通じて上記電子機器に出力される。このようにして小型カード１０がカードコネクタＣに接続される。
【０１６１】
小型カード１０がカード挿入位置に位置しているとき、当該小型カード１０の電極面に一対の両側位置規制片１２０ｂ及び中央位置規制片１１０ｂが当接した状態が維持される。これにより、小型カード１０が両側位置規制片１２０ｂ及び中央位置規制片１１０ｂの先端部より上方へ移動することが規制され、小型カード１０との弾性的な接触による所定以上の負荷が第１のコンタクト３００に掛からないようになっている。
【０１６２】
その後、小型カード１０がカード挿入位置から更にカード挿入方向に押し込まれると、スライダ２００がカード挿入位置から更にカード挿入方向に移動する。これにより、フックピン５２０の他端部がハートカム溝５３０内を移動し、当該他端部とハートカム溝５３０の所定箇所との係止が解除される。
【０１６３】
すると、コイルスプリング５１０の付勢力によりスライダ２００の押圧板２２２がカード排出方向に押圧される。これにより、スライダ２００がカード排出方向に移動する。そして、スライダ２００のベース板２２１の先端部が収容凹部１３０ａの手前側の壁面に当接する。これにより、スライダ２００がカード排出位置で位置決めされる。このとき、スライダ２００の一対の窓部２１１ａの手前側の縁部が当接部７４０ａ、７４０ｂ上を通過し、当接部７４０ａ、７４０ｂが一対の窓部２１１ａに係合される。この状態で、小型カード１０が第１、第２の開口１０６ａ、１０７ａから引き出される。
【０１６４】
小型カード１０が電極面を下方に向けた状態（即ち、小型カード１０を所定の正規の向き以外の向きの状態）でボディ１００ａの第１、第２の開口１０６ａ、１０７ａを通じてスロット１０５ａに挿入されると、小型カード１０の幅方向の両端面がスライダ２００の一対の上側ガイド部２１３及び位置規制バネ７００ａ、７００ｂの当接部７４０ａ、７４０ｂに各々ガイドされる。
【０１６５】
このとき、小型カード１０の電極面がスライダ２００のカード付勢バネ２１４により上方に付勢される。これにより、小型カード１０が上方に移動する。
【０１６６】
その後、小型カード１０がスロット１０５ａの奥側に更に挿入されると、小型カード１０の下面がカバー１００ｂの一対の両側位置規制片１２０ｂ及び中央位置規制片１１０ｂに順次当接し、上述の如く小型カード１０の挿入姿勢が略水平に保たれる。
【０１６７】
これと共に、図６に示すように、小型カード１０のカード本体１１の幅方向の他端部がスライダ２００の上側係止アーム２１３ａの第１の係止部２１３ａ１を外側に押圧する。これにより、上側係止アーム２１３ａが外側に弾性変形し、当該上側係止アーム２１３ａの先端部が外側に変位する。これにより、上側係止アーム２１３ａの第２の係止部２１３ａ２が位置規制バネ７００ａの突片７５０ａの他端部に係止される。このようにしてスライダ２００が位置規制バネ７００ａに係止され、当該スライダ２００のカード排出位置からカード挿入位置へのスライド移動が阻止される。
【０１６８】
このため、小型カード１０がスロット１０５ａの奥側に更に挿入され、小型カード１０の両角部によりガイドブロック８００ａ、８００ｂの上側ガイド面８２０ａ、８２０ｂが各々押圧されたとしても、スライダ２００の前記スライド移動が阻止されているため、小型カード１０のスロット１０５ａ内へのそれ以上挿入が阻止される。
【０１６９】
大型カード２０が電極面を下方に向けた状態（即ち、大型カード２０が所定の正規の向き以外の向きの状態）でボディ１００ａの第１、第２の開口１０６ａ、１０７ａを通じてスロット１０５ａに挿入されると、大型カード２０の一対のフランジ部２２の端面がカバー１００ｂの一対の縁部１７０ｂ及びスライダ２００の一対の下側ガイド部２１１に各々ガイドされると共に、当該大型カード２０のカード本体２１の上端部の両端面がスライダ２００の一対の上側ガイド部２１３に各々ガイドされる。
【０１７０】
このとき、大型カード２０の電極面がスライダ２００のカード付勢バネ２１４により上方に付勢されつつ、大型カード２０の一対のフランジ部の上面がスライダ２００の一対の段部２１２に各々当接する。このため、カード付勢バネ２１４の付勢力による大型カード２０の上方への移動が防止される。
【０１７１】
これと共に、図７に示すように、大型カード２０の一対のフランジ部２２の端面が位置規制バネ７００ａ、７００ｂの当接部７４０ａ、７４０ｂに当接し、当該大型カード２０のカード本体２１の上端部の一端面がスライダ２００の上側係止アーム２１３ａの第１の係止部２１３ａ１に当接する。
【０１７２】
このとき、当接部７４０ａ、７４０ｂが一対のフランジ部２２の端面に当接され押圧され、位置規制バネ７００ａ、７００ｂの傾斜板７３０ａ、７３０ｂが外側に弾性変形し、当該当接部７４０ａ、７４０ｂが外側に変位する。このように当接部７４０ａ、７４０ｂが外側に変位すると、当接部７４０ａ、７４０ｂとスライダ２００の一対の窓部２１１ａとの係合が解除される。この状態で、大型カード２０が当接部７４０ａ、７４０ｂにより弾性的に挟持され、スロット１０５ａの上記中央位置に位置規制される。また、当接部７４０ａの変位により、位置規制バネ７００ａの突片７５０ａが外側に変位し、当該突片７５０ａ全体がボディ１００ａの切欠き部１４４ａに収容される。
【０１７３】
これと共に、上側係止アーム２１３ａの第１の係止部２１３ａ１がカード本体２１の上端部の一端面に当接され押圧され、上側係止アーム２１３ａが外側に弾性変形し、上側係止アーム２１３ａの先端部が外側に変位するが、位置規制バネ７００ａの突片７５０ａも外側に変位しているため、上側係止アーム２１３ａの第２の係止部２１３ａ２と突片７５０ａの他端部との係止が回避される。
【０１７４】
その後、大型カード２０がスロット１０５ａの奥側に更に挿入されると、大型カード２０の上面（即ち、電極面の反対側の面）がカバー１００ｂの一対の両側位置規制片１２０ｂ及び中央位置規制片１１０ｂに順次当接する。即ち、大型カード２０は、電極面がカード付勢バネ２１４に付勢されると共に、上面が一対の両側位置規制片１２０ｂ及び中央位置規制片１１０ｂに当接されることにより、その挿入姿勢が略水平に保たれ、上記接続空間に対応した高さ位置に配置される。また、一対の両側位置規制片１２０ｂ及び中央位置規制片１１０ｂが大型カード２０の上面に当接することにより、カード挿入時に、大型カード２０の後端面の幅方向の一方側の部分が押されることを起因とする大型カード２０の周方向への回転が防止されると共に、大型カード２０がカード付勢バネ２１４の先端部を支点する幅方向への揺動も防止される。これにより、大型カード２０の挿入時のガタつきが防止される。
【０１７５】
その後、大型カード２０がスロット１０５ａの奥側に更に挿入されると、大型カード２０の一対のフランジ部２２の先端部がガイドブロック８００ａ、８００ｂの下側ガイド面８３０ａ、８３０ｂに各々当接する。これにより、大型カード２０の向きがスロット１０５ａ内の中央位置でカード挿入方向に沿って真っ直ぐ向けられる。このとき、スライダ２００の下側係止アーム２１１ｂが大型カード２０の係止凹部２２ａに嵌まり込み、当該大型カード２０を係止する。
【０１７６】
その後、大型カード２０がスロット１０５ａの奥側に更に挿入されると、大型カード２０の一対のフランジ部２２によりガイドブロック８００ａ、８００ｂの下側ガイド面８３０ａ、８３０ｂが各々押圧される。これにより、スライダ２００が大型カード２０と共にカード排出位置からカード挿入位置にかけて移動する。これと共に、ガイドブロック８００ａ、８００ｂのガイド凸部８５０ａ、８６０ｂがボディ１００ａの一対のガイドレール１３０ａを移動する。
【０１７７】
このとき、フックピン５２０の一端部がスライダ２００の貫通孔２２１ｂ内で回転しつつ、当該フックピン５２０の他端部がハートカム溝５３０内を移動する。これと共に、コイルスプリング５１０は、スライダ２００の押圧板２２２と収容凹部１３０ａの奥側面との間で圧縮される。また、スライダ２００の一対の窓部２１１ａの手前側の縁部が当接部７４０ａ、７４０ｂ上を通過すると、当接部７４０ａ、７４０ｂが前記縁部に外側に向けて押圧される。これにより、位置規制バネ７００ａ７００ｂの傾斜板７３０ａ、７３０ｂが更に弾性変形し、当接部７４０ａ、７４０ｂが外側に変位する。その後、傾斜板７３０ａ、７３０ｂの復帰力により、当接部７４０ａ、７４０ｂが内側に変位し、再び大型カード２０の一対のフランジ部２２の端面を弾性的に挟持する。
【０１７８】
大型カード２０がカード挿入位置に位置すると、図８（ｂ）に示すように、第１、第２のコンタクト３００、４００の接触部３３０、４３０の間の上記接続空間に挿入される。これにより、大型カード２０が第１、第２のコンタクト３００、４００の接触部３３０、４３０の間で弾性的に挟持される。これと共に、大型カード２０の電極２３が第２のコンタクト４００の接触部４３０に各々弾性的に接触する。このため、接触部４３０と電極２３との安定した接触を図ることができ、カードコネクタＣが外部から衝撃や振動を受けた場合であっても、チャタリングの発生を防止することができる。
【０１７９】
このとき、フックピン５２０の他端部がハートカム溝５３０の所定箇所に嵌まり込み、係止される。これにより、スライダ２００がカード挿入位置で係止される。また、スライダ２００と共に移動するガイドブロック８００ａにより、第１のスイッチ片６１０の先端部が押圧され、第２のスイッチ片６２０の先端部に接触する。そして、両先端部がボディ１００ａの後壁部１０４ａの切欠き部に収容される。これにより、スライダ２００がカード挿入位置に位置したことを示す信号が上記基板を通じて上記電子機器に出力される。このようにして大型カード２０がカードコネクタＣに接続される。
【０１８０】
大型カード２０がカード挿入位置に位置しているとき、当該大型カード２０の上面に一対の両側位置規制片１２０ｂ及び中央位置規制片１１０ｂが当接した状態が維持される。これにより、大型カード２０の両側位置規制片１２０ｂ及び中央位置規制片１１０ｂの先端部より上方への移動が規制され、大型カード２０との弾性的な接触による所定以上の負荷が第１のコンタクト３００に掛からないようになっている。
【０１８１】
その後、大型カード２０がカード挿入位置から更にカード挿入方向に押し込まれると、スライダ２００がカード挿入位置から更にカード挿入方向に移動する。これにより、フックピン５２０の他端部がハートカム溝５３０内を移動し、当該他端部とハートカム溝５３０の所定箇所との係止が解除される。
【０１８２】
すると、コイルスプリング５１０の付勢力によりスライダ２００の押圧板２２２がカード排出方向に押圧される。これにより、スライダ２００がカード排出方向に移動する。そして、スライダ２００のベース板２２１の先端部が収容凹部１３０ａの手前側の壁面に当接する。これにより、スライダ２００がカード排出位置で位置決めされる。
【０１８３】
このとき、スライダ２００の一対の窓部２１１ａの手前側の縁部が当接部７４０ａ、７４０ｂ上を通過する。これにより、当接部７４０ａ、７４０ｂが前記縁部に外側に向けて押圧される。すると、傾斜板７３０ａ、７３０ｂが更に弾性変形し、当接部７４０ａ、７４０ｂが外側に変位する。その後、傾斜板７３０ａ、７３０ｂの復帰力により、当接部７４０ａ、７４０ｂが内側に変位し、一対の窓部２１１ａを通じて大型カード２０の一対のフランジ部２２の端面に弾性的に当接する。この状態で、大型カード２０が第１、第２の開口１０６ａ、１０７ａから引き出される。
【０１８４】
大型カード２０が電極面を上方に向けた状態（即ち、大型カード２０が正規の向き以外の向きの状態）でボディ１００ａの第１、第２の開口１０６ａ、１０７ａを通じてスロット１０５ａに挿入しようとすると、大型カード２０の一対のフランジ部２２の先端部がボディ１００ａの一対の突起部１６０ａに当接する。このため、大型カード２０の上下逆の誤挿入が防止される。
【０１８５】
このようなカードコネクタＣによる場合、小型カード１０が正規の向き以外の向きでボディ１００ａのスロット１０５ａに挿入されると、スライダ２００の上側係止アーム２１３ａの第１の係止部２１３ａ１が小型カード１０のカード本体１１の他端部に押圧されることにより、当該上側係止アーム２１３ａが外側に弾性変形し、その第２の係止部２１３ａ２が位置規制バネ７００ａの突片７５０ａの他端部に係止される。即ち、小型カード１０が正規の向き以外の向きでスロット１０５ａに挿入されたときには、スライダ２００がカード排出位置で位置規制バネ７００ａに引っ掛かることにより、当該スライダ２００のカード排出位置からカード挿入位置へのスライド移動が阻止される。従って、本カードコネクタＣの使用者は、小型カード１０が挿入過程でスライダ２００が引っ掛かる感触を得ると共に、小型カード１０がスロット１０５ａから突出した状態を視認することにより、小型カード１０の正規の向き以外の向きで誤挿入されていると認識することができる。
【０１８６】
一方、大型カード２０を正規の向き以外の向きでボディ１００ａのスロット１０５ａに挿入しようとしたときであっても、大型カード２０の一対のフランジ部２２の先端部がボディ１００ａの一対の突起部１６０ａに当接するため、大型カード２０の誤挿入が防止される。
【０１８７】
しかも、小型カード１０が正規の向きでボディ１００ａの第２の開口１０７ａを通じてスロット１０５ａに挿入されたときには、小型カード１０の両端面が位置規制バネ７００ａ、７００ｂの当接部７４０ａ、７４０ｂに各々ガイドされつつ、小型カード１０の下面がスライダ２００のカード付勢バネ２１４により上方に付勢され、小型カード１０が上方に押し上げられる。即ち、小型カード１０がスロット１０５ａの下側空間に誤挿入されたとしても、当該小型カード１０が所定の位置に押し上げられ、小型カード１０の両端面が上側ガイド部２１３に各々規制されるようになっている。このため、小型カード１０がスロット１０５ａの下側空間に誤挿入されることにより、小型カード１０が前記下側空間で幅方向に移動し、小型カード１０の電極１３と第１のコンタクト３００の接触部３３０との位置ずれが生じるのを防止することができる。
【０１８８】
また、小型カード１０が正規の向き以外の向きでボディ１００ａの第２の開口１０７ａを通じてスロット１０５ａに挿入されたときにも、小型カード１０の両端面が位置規制バネ７００ａ、７００ｂの当接部７４０ａ、７４０ｂに各々ガイドされつつ、小型カード１０の下面がスライダ２００のカード付勢バネ２１４により上方に付勢され、小型カード１０が上方に押し上げられる。そして、上述の如く、スライダ２００のカード本体１１の他端部がスライダ２００の上側係止アーム２１３ａの第１の係止部２１３ａ１を外側に押圧することにより、第２の係止部２１３ａ２が位置規制バネ７００ａの突片７５０ａの他端部に係止される。従って、ボディ１００ａの第２の開口１０７ａを通じた小型カード１０の正規の向き以外の向きの誤挿入も防止することができる。
【０１８９】
なお、カードコネクタＣは、上記実施例に限定されるものではなく、特許請求の範囲の趣旨に適う限り任意に設計変更することができる。従って、２以上のカードが接続可能なカードコネクタである場合、前記係止アームを２以上備え、各々所定の向き以外の向きでの誤挿入を防止するように設計することが可能である。以下、各部について述べる。なお、本カードコネクタの係止アームの設計変更例を示す模式図であって、（ａ）が第１例、（ｂ）が第２例を示す図である。
【０１９０】
ハウジング１００については、ボディ１００ａと、カバー１００ｂとを有するとしたが、これに限定されるものではなく、少なくとも一つのカードが挿入可能なスロットを有する限りどのようなもの出会っても良い。例えば、前記ハウジングとして単一の樹脂射出成型品を用いることができる。
【０１９１】
第１、第２の開口１０６ａ、１０７ａについては、任意に設計変更することが可能である。即ち、前記第１、第２の開口の幅寸法を同じにすることもできる。この場合であっても、上述の如く、スライダの両端部に下側ガイド部、段部及び上側ガイド部を設けておけば、大型カードを第１の開口から挿入してしまう等の不具合を防止できる。また、前記第１の開口を小型カード専用の入り口とし、前記第２の開口を大型カード専用の入り口とすることも可能である。また、第１、第２の開口を一つの開口とすることも可能である。
【０１９２】
位置規制バネ７００ａ、７００ｂについては設けるか否かは任意である。また、前記位置規制バネは、大型カードの幅方向の両端面に当接し、当該大型カードの幅方向への移動を規制可能な位置規制手段である限りどのようなものを用いても構わない。従って、前記位置規制手段は少なくとも一つあれば良く、外側に弾性変形可能なものである必要はない。また、前記位置規制バネは、前記ハウジングの前記スロットの幅方向の両壁部の下側部分に設ける代わりに、前記スライダの両端部にも設けることが可能である。
【０１９３】
突片７５０ａについては同様に機能し得るものである限り任意に設計変更することが可能である。即ち、前記位置規制手段の一部が突片７５０ａの機能を果たすように設計変更することも可能である。また、前記位置規制手段に変えて、前記ハウジングに前記係止アームの第２の係止部が係止可能な凹部や凸部を設けることも可能である。
【０１９４】
スライダ２００は、金属板で構成されているとしたが、これに限定されるものではない。例えば、樹脂射出成型品とすることも可能である。スライダ本体２１０の両端部は、折り曲げられ、下側ガイド部２１１、段部２１２及び上側ガイド部２１３となっているとしたが、下側ガイド部２１１、段部２１２及び上側ガイド部２１３が設けられなくとも良い。
【０１９５】
この場合、前記ハウジングが、前記第１の開口の両側に各々設けられており且つその間の距離が小型カードの幅寸法よりも若干大きく、大型カードの幅寸法よりも小さい一対の第１の縁部と、前記第２の開口の両側に各々設けられており且つその間の距離が大型カードの幅寸法よりも若干大きい一対の第２の縁部と、前記第１、第２の縁部の間に各々設けられており且つ大型カードの幅方向の両端部の上面に各々当接可能な一対の段部とを備えた構成となっていることが好ましい。即ち、前記第１の縁部が上側ガイド部２１３の代わりとなり、前記第２の縁部が下側ガイド部２１１の代わりとなり、前記段部が段部２１２の代わりとなる。このとき、位置規制バネ７００ａ、７００ｂは、幅方向に弾性変形可能であって、当接部７４０ａ、７４０ｂの間の距離が前記第１の縁部の間の距離を略同じになっていることが好ましい。
【０１９６】
勿論、前記ハウジングに前記第１の縁部、第２の縁部及び段部を設けると共に、スライダの両端部の前記第１の縁部、第２の縁部及び段部のカード挿入方向の前後に下側ガイド部、段部及び上側ガイド部を設けることも可能である。
【０１９７】
上側係止アーム２１３ａについては、先端部が鉤状に折り曲げられた板バネであるとしたが、これに限定されるものではなく、カードに向けて凸であり且つ当該カードの係止凹部に係止可能な第１の係止部と、第１の係止部の反対方向に凸であり且つハウジングに設けられた凹部、凸部又は当該ハウジング内に設けられた位置規制手段に係止可能である第２の係止部とを有する限り任意に設計変更することが可能である。例えば、図１９（ａ）に示すように、上側係止アーム２１３ａ’の先端部をカード側に折り曲げた後、その反対側に折り曲げ、両折曲部を第１、第２の係止部２１３ａ１’、２１３ａ２’としても良いし、略Ｔ字状の上側係止アーム２１３ａ’’の先端部の一端を第１の係止部２１３ａ１’’、他端を第２の係止部２１３ａ２’’とすることも可能である。
【０１９８】
カード付勢バネ２１４については、前記第２の開口を通じて前記スロットの下側空間に挿入された小型、大型カードを上方に向けて付勢し得る付勢手段である限り任意に変更することができる。例えば、前記付勢手段としてはスライダ本体２１０に取り付けた弾性ゴムやスプリング等の弾性体を用いることが可能である。前記付勢手段をスライダ本体２１０に複数設けることが可能である。なお、前記付勢手段は前記スライダではなく、前記ハウジングに設けることが可能である。この場合、前記付勢手段は前記ハウジングのカード排出位置に位置するスライダの手前側に設けることが好ましい。
【０１９９】
第１、第２のコンタクト３００、４００については、スロット１０５ａの上側空間、下側空間に各々配置されるとしたが、これに限定されるものではない。即ち、小型、大型カードの電極の位置が互いに重ならない場合には、前記第１、第２のコンタクトをスロットの上側空間又は下側空間に配置することも可能である。従って、本発明に係るカードコネクタは、上記実施例の如く、小型、大型カードが互いに電極面を上下逆に挿入されるものに限定されるわけではない。
【０２００】
イジェクト機構５００については設けるか否かは任意である。また、前記イジェクト機構として別のものを用いることができる。具体的には、カードを排出するゴムやコイルスプリング以外のバネ部材等の付勢手段と、カードを挿入位置で係止する係止手段とを備えているものであれば、どのようなものを用いても構わない。また、前記イジェクト機構として、前記ハウジングに設けられた操作片でカードを排出する手動操作式のものを用いることも可能である。
【０２０１】
位置検出スイッチ６００については設けるか否かは任意である。また、前記位置検出スイッチとして磁気スイッチやタクトスイッチ等により代替可能である。
【０２０２】
ガイドブロック８００ａ、８００ｂについても設けるか否かは任意である。前記ガイドブロックの上側、下側ガイド面は円弧状のテーパ面であるとしたが、内側に向けて漸次増大するテーパ面である限り任意に変更することができる。よって、上側、下側ガイド面として直線状のテーパ面とすることも可能である。このガイドブロックは前記スライダと一体的に設けることが可能である。
【０２０３】
なお、カードコネクタは、マイクロエスディーカードである小型カード１０及びメモリースティックマイクロカードである大型カード２０が挿入されるものであるとして説明したが、これに限定されるものではない。前記小型、大型カードとしては、少なくとも幅寸法が異なっていれば良い。
【０２０４】
各部材の形状、構成素材及び配置箇所については、上記実施例と同様の機能を実現可能である限り任意に設計変更することができる。
【図面の簡単な説明】
【０２０５】
【図１】本発明の実施の形態に係るカードコネクタの概略図であって、（ａ）が上方から見た斜視図、（ｂ）が下方から見た斜視図である。
【図２】同カードコネクタの概略的正面図である。
【図３】同カードコネクタのハウジングのカバーを取り外した状態を示す概略図であって、（ａ）が平面図、（ｂ）が斜視図である。
【図４】同カードコネクタの概略的正面図であって、（ａ）が小型カード挿入状態を示す図、（ｂ）が大型カード挿入状態を示す図である。
【図５】同カードコネクタのハウジングのカバーを取り外した状態を示す概略図であって、（ａ）は小型カードが正規の向きで挿入され且つカード排出位置に位置した状態を示す平面図、（ｂ）が（ａ）の部分の拡大斜視図である。
【図６】同カードコネクタのハウジングのカバーを取り外した状態を示す概略図であって、（ａ）は小型カードが正規の向きと反対側の向きで挿入され且つカード排出位置に位置した状態を示す平面図、（ｂ）が（ａ）の部分の拡大斜視図である。
【図７】同カードコネクタのハウジングのカバーを取り外した状態を示す概略図であって、（ａ）は大型カードが挿入され且つカード排出位置に位置した状態を示す平面図、（ｂ）が（ａ）の部分の拡大斜視図である。
【図８】同カードコネクタのハウジングのカバーを取り外した状態を示す概略的平面図であって、（ａ）は小型カードがカード挿入位置に位置した状態を示す図、（ｂ）は大型カードがカード挿入位置に位置した状態を示す図である。
【図９】同コネクタの模式的Ａ−Ａ部分断面図であって、（ａ）がカード挿入前の状態を示す図、（ｂ）が小型カード挿入後の状態を示す図、（ｃ）が大型カード挿入後の状態を示す図である。
【図１０】同カードコネクタの概略的分解斜視図である。
【図１１】同カードコネクタのハウジングのボディの概略図であって、（ａ）が上方から見た斜視図、（ｂ）が下方から見た斜視図である。
【図１２】同カードコネクタのハウジングのカバーの概略図であって、（ａ）が上方から見た斜視図、（ｂ）が下方から見た斜視図である。
【図１３】同カードコネクタの左側の位置規制バネの概略的斜視図である。
【図１４】同カードコネクタのスライダの概略図であって、（ａ）が上方から見た斜視図、（ｂ）が下方から見た斜視図である。
【図１５】（ａ）が同カードコネクタの右側のガイドブロックの概略的斜視図、（ｂ）が同カードコネクタの左側のガイドブロックの概略的斜視図である。
【図１６】同カードコネクタに挿入可能な小型カードの概略図であって、（ａ）が上方から見た斜視図、（ｂ）が下方から見た斜視図である。
【図１７】同カードコネクタに挿入可能な大型カードの概略図であって、（ａ）が上方から見た斜視図、（ｂ）が下方から見た斜視図である。
【図１８】同小型、大型カードを重ね合わせた状態の概略的平面図であって、大型カードを破線で示した図である。
【図１９】本カードコネクタの係止アームの設計変更例を示す模式図であって、（ａ）が第１例、（ｂ）が第２例を示す図である。
【符号の説明】
【０２０６】
１０  小型カード
１２ａ  係止凹部
１３    電極
２０  大型カード
２２ａ  係止凹部
２３    電極
Ｃ      カードコネクタ
１００    ハウジング
１００ａ  ボディ
１０５ａ  スロット
１０６ａ  第１の開口
１０７ａ  第２の開口
２００  スライダ
２１０  スライダ本体
２１１  下側ガイド部
２１２  段部
２１３  上側ガイド部
２１３ａ  上側係止アーム（係止アーム）
２１４  カード付勢バネ
７００ａ  位置規制バネ（位置規制手段）
７５０ａ  突片
【図１】
0005079550.tif 000002
【図２】
0005079550.tif 000003
【図３】
0005079550.tif 000004
【図４】
0005079550.tif 000005
【図５】
0005079550.tif 000006
【図６】
0005079550.tif 000007
【図７】
0005079550.tif 000008
【図８】
0005079550.tif 000009
【図９】
0005079550.tif 000010
【図１０】
0005079550.tif 000011
【図１１】
0005079550.tif 000012
【図１２】
0005079550.tif 000013
【図１３】
0005079550.tif 000014
【図１４】
0005079550.tif 000015
【図１５】
0005079550.tif 000016
【図１６】
0005079550.tif 000017
【図１７】
0005079550.tif 000018
【図１８】
0005079550.tif 000019
【図１９】
0005079550.tif 000020